(57)【要約】【課題】読取部材が移動する構成において、簡易な構成で媒体の大きさの誤検出を低減すること。【解決手段】媒体（Ｇｉ）が支持される支持面（ＰＧ）と、読取部材（ＣＣＤ）を有し第２の方向に移動可能な読取ユニット（Ｕ２ａ）と、支持面（ＰＧ）の媒体（Ｇｉ）を検出可能な第２の方向の検出部材（４１）と、支持面（ＰＧ）と対向する対向部材（５４）を有して対向部材（５４）が第２の方向の検出部材（４１）に検出不能な第１の半閉じ位置と対向部材（５４）が第２の方向の検出部材（４１）に検出可能な第２の半閉じ位置を通過可能な開閉部材（５１）と、開閉部材の位置の検出手段（Ｃ４）と、第１の半閉じ位置と閉鎖位置の第２の方向の検出部材（４１）の結果と第２の半閉じ位置と閉鎖位置の読取部材（ＣＣＤ）の結果に基づいて媒体（Ｇｉ）の大きさを検出する手段（Ｃ９）と、を備えた画像の読取装置（Ｕ２）。【選択図】図９
2014204410.tif 000002
【特許請求の範囲】
【請求項１】
画像が記録された媒体が支持される支持面と、
前記支持面を挟んで媒体の反対側に支持された読取ユニットであって、予め設定された第１の方向に沿った媒体の画像を読み取る読取部材を有し、前記第１の方向に対して交差する第２の方向に沿って前記支持面に対して移動可能に支持された前記読取ユニットと、
前記支持面を通過した光を受光する受光部を有し、前記支持面に支持された媒体を検出可能な第２の方向の検出部材であって、前記第２の方向の予め設定された位置に配置された前記第２の方向の検出部材と、
前記支持面を外部に開放する開放位置と、前記支持面を閉鎖する閉鎖位置と、の間を開閉可能に支持された開閉部材であって、前記開閉部材に支持され且つ前記閉鎖位置において前記支持面と対向する対向部材を有し、前記第２の方向の検出部材に入射する外光を遮断し且つ前記対向部材が前記第２の方向の検出部材に検出不能な第１の半閉じ位置と、前記第１の半閉じ位置に比べて前記閉鎖位置側に設定され、前記読取部材に入射する外光を遮断し且つ前記対向部材が前記第２の方向の検出部材に検出可能な第２の半閉じ位置と、を通過可能な前記開閉部材と、
前記開閉部材が、前記第１の半閉じ位置と、前記第２の半閉じ位置と、前記閉鎖位置と、に移動したことを検出する開閉部材の位置の検出手段と、
前記第１の半閉じ位置と前記閉鎖位置との前記第２の方向の検出部材の検出結果と、前記第２の半閉じ位置と前記閉鎖位置との前記読取部材の読取結果とに基づいて、媒体の大きさを検出する手段と、
を備えたことを特徴とする画像の読取装置。
【請求項２】
前記開閉部材の開閉に応じて移動可能に支持された被検出部材と、
前記被検出部材の有無を検出する第１の検出部材であって、前記開閉部材が前記開放位置から前記第１の半閉じ位置に移動する際に前記被検出部材の有無の検出結果が切り替わる第１の検出位置に配置された前記第１の検出部材と、
前記被検出部材の有無を検出する第２の検出部材であって、前記開閉部材が前記第１の半閉じ位置から前記第２の半閉じ位置に移動する際に前記被検出部材の有無の検出結果が切り替わり、且つ、前記開閉部材が前記第２の半閉じ位置から前記閉鎖位置に移動する際に前記被検出部材の有無の検出結果が切り替わる第２の検出位置に配置された前記第２の検出部材と、
前記第１の検出部材の有無の検出結果と、前記第２の検出部材の有無の検出結果と、に基づいて、前記開閉部材が、前記開放位置と、前記第１の半閉じ位置と、前記第２の半閉じ位置と、前記閉鎖位置と、に移動したことを検出する前記開閉部材の位置の検出手段と、
を備えたことを特徴とする請求項１に記載の画像の読取装置。
【請求項３】
前記開閉部材の開閉に応じて移動可能に支持された被検出部材と、
前記被検出部材の有無を検出する第１の検出部材であって、前記開閉部材が前記開放位置から前記第１の半閉じ位置に移動する際に前記被検出部材の有無の検出結果が切り替わり、且つ、前記開閉部材が前記第１の半閉じ位置から前記第２の半閉じ位置に移動する際に前記被検出部材の有無の検出結果が切り替わる第１の検出位置に配置された前記第１の検出部材と、
前記被検出部材の有無を検出する第２の検出部材であって、前記開閉部材が前記第２の半閉じ位置から前記閉鎖位置に移動する際に前記被検出部材の有無の検出結果が切り替わる第２の検出位置に配置された前記第２の検出部材と、
前記第１の検出部材の有無の検出結果と、前記第２の検出部材の有無の検出結果と、に基づいて、前記開閉部材が、前記開放位置と、前記第１の半閉じ位置と、前記第２の半閉じ位置と、前記閉鎖位置と、に移動したことを検出する前記開閉部材の位置の検出手段と、
を備えたことを特徴とする請求項１に記載の画像の読取装置。
【請求項４】
前記開閉部材の開閉に応じて移動可能に支持された被検出部材と、
前記被検出部材の有無を検出する第１の検出部材であって、前記開閉部材が前記開放位置から前記第１の半閉じ位置に移動する際に前記被検出部材の有無の検出結果が切り替わり、且つ、前記開閉部材が前記第２の半閉じ位置から前記閉鎖位置に移動する際に前記被検出部材の有無の検出結果が切り替わる第１の検出位置に配置された前記第１の検出部材と、
前記被検出部材の有無を検出する第２の検出部材であって、前記開閉部材が前記第１の半閉じ位置から前記第２の半閉じ位置に移動する際に前記被検出部材の有無の検出結果が切り替わる第２の検出位置に配置された前記第２の検出部材と、
前記第１の検出部材の有無の検出結果と、前記第２の検出部材の有無の検出結果と、に基づいて、前記開閉部材が、前記開放位置と、前記第１の半閉じ位置と、前記第２の半閉じ位置と、前記閉鎖位置と、に移動したことを検出する前記開閉部材の位置の検出手段と、
を備えたことを特徴とする請求項１に記載の画像の読取装置。
【請求項５】
前記第１の検出部材または前記第２の検出部材の有無の検出結果が切り替わる場合において、切り替わる前における前記第１の検出部材と前記第２の検出部材との検出結果の組み合わせと、切り替わった後における前記第１の検出部材と前記第２の検出部材との検出結果の組み合わせと、の組み合わせが全て異なるように予め設定されて、前記第１の検出部材の有無の検出結果と、前記第２の検出部材の有無の検出結果と、に基づいて、前記第１の検出部材または前記第２の検出部材の有無の検出結果が切り替わった場合に、前記開閉部材が前記開放位置から前記閉鎖位置に向かう方向に移動する場合について、前記開閉部材が、前記第１の半閉じ位置と、前記第２の半閉じ位置と、前記閉鎖位置と、に移動したことを検出する前記開閉部材の位置の検出手段、
を備えたことを特徴とする請求項２ないし４のいずれかに記載の画像の読取装置。
【請求項６】
媒体から画像を読み取る請求項１ないし５のいずれかに記載の画像の読取装置と、
前記画像の読取装置に読み取られた画像に基づいて、媒体に画像を記録する画像の記録部と、
を備えたことを特徴とする画像形成装置。
【発明の詳細な説明】
【技術分野】
【０００１】
本発明は、画像の読取装置および画像形成装置に関する。
【背景技術】
【０００２】
従来から、画像の読取装置について、自動で、画像の記録された媒体、いわゆる、原稿の大きさを検出する構成が知られている。自動で原稿の大きさを検出する構成に関し、以下の特許文献１，２に記載の技術が知られている。
【０００３】
特許文献１としての特開２０１０−２１９６６７号公報には、原稿が置かれるガラス板（３ｄ）に対して回転可能なプラテンカバー（２０）が閉じられる際に、原稿の大きさ、いわゆる、サイズを検出する技術が記載されている。特許文献１に記載の技術では、プラテンカバー（２０）に連動する検出部材（２４）の通過を第１センサー（２５）で検出して、プラテンカバー（２０）が半閉じの状態である第１の時期を検出している。また、前記検出部材（２４）の通過を第２センサー（２６）で検出して、プラテンカバー（２０）がほぼ閉じた状態である第２の時期を検出している。
【０００４】
特許文献１では、第１と第２の時期が検出されると、それぞれの時期において、固定されたＣＣＤラインセンサー（３７）に原稿からの光を案内して主走査方向の原稿の画像情報を読み取っている。そして、第１と第２の時期の画像情報の差分から原稿の端の陰などを検出して、主走査方向のサイズを検出している。また、原稿の有無を検出するサイズ検出センサー（２３）で、原稿が縦置きか横置きかを検出している。よって、主走査方向のサイズと、副走査方向のサイズ情報とに基づいて、原稿のサイズを検出している。ここで、特許文献１には、サイズ検出センサー（２３）の具体的な検出時期や、サイズ検出センサー（２３）の検出結果の変化を求める構成に関する記載はない。よって、特許文献１では、サイズの検出センサー（２３）については、従来通り、第１の時期のみで検出を行っていると考えられる。
なお、特許文献１には、ＣＣＤラインセンサー（３７）の差分の取り方を増やすために、プラテンカバー（２０）の開閉状態に基づく時期に関し、２つの検出センサー（２５，２６）を用いて２つの時期を検出する構成に加えて、３つ以上の検出センサーを用いて３つ以上の時期を検出する構成も記載されている。
【０００５】
特許文献２としての特開２０１２―３９３２１号公報には、プラテンガラス（１０３）に対し回転可能な圧板（１０９）の予め設定された異なる２つの回転角度（θ１，θ２）に基づいて、固定された主走査方向を検出するラインセンサ（１０７）と、副走査方向の長さを検出する反射型センサ（１０８）とを制御し、原稿のサイズを検出する構成が記載されている。特許文献２では、回転角度（θ１，θ２）を検出する際に、第１角度検出センサ（１１０）で圧板（１０９）の半閉じ状態の第１角度（θ１）を検出している。また、第２角度検出センサ（１１１）で圧板（１０９）の閉じられる直前の状態の第２角度（θ２）を検出している。
【先行技術文献】
【特許文献】
【０００６】
【特許文献１】特開２０１０−２１９６６７号公報（「００４９」〜「００５８」、「００７４」〜「００８６」）
【特許文献２】特開２０１２―３９３２１号公報（「００１２」〜「００１５」、図１）
【発明の概要】
【発明が解決しようとする課題】
【０００７】
本発明は、読取部材が移動する構成において、簡易な構成で媒体の大きさの誤検出を低減することを技術的課題とする。
【課題を解決するための手段】
【０００８】
前記技術的課題を解決するために、請求項１に記載の発明の画像の読取装置は、
画像が記録された媒体が支持される支持面と、
前記支持面を挟んで媒体の反対側に支持された読取ユニットであって、予め設定された第１の方向に沿った媒体の画像を読み取る読取部材を有し、前記第１の方向に対して交差する第２の方向に沿って前記支持面に対して移動可能に支持された前記読取ユニットと、
前記支持面を通過した光を受光する受光部を有し、前記支持面に支持された媒体を検出可能な第２の方向の検出部材であって、前記第２の方向の予め設定された位置に配置された前記第２の方向の検出部材と、
前記支持面を外部に開放する開放位置と、前記支持面を閉鎖する閉鎖位置と、の間を開閉可能に支持された開閉部材であって、前記開閉部材に支持され且つ前記閉鎖位置において前記支持面と対向する対向部材を有し、前記第２の方向の検出部材に入射する外光を遮断し且つ前記対向部材が前記第２の方向の検出部材に検出不能な第１の半閉じ位置と、前記第１の半閉じ位置に比べて前記閉鎖位置側に設定され、前記読取部材に入射する外光を遮断し且つ前記対向部材が前記第２の方向の検出部材に検出可能な第２の半閉じ位置と、を通過可能な前記開閉部材と、
前記開閉部材が、前記第１の半閉じ位置と、前記第２の半閉じ位置と、前記閉鎖位置と、に移動したことを検出する開閉部材の位置の検出手段と、
前記第１の半閉じ位置と前記閉鎖位置との前記第２の方向の検出部材の検出結果と、前記第２の半閉じ位置と前記閉鎖位置との前記読取部材の読取結果とに基づいて、媒体の大きさを検出する手段と、
を備えたことを特徴とする。
【０００９】
請求項２に記載の発明は、請求項１に記載の画像の読取装置において、
前記開閉部材の開閉に応じて移動可能に支持された被検出部材と、
前記被検出部材の有無を検出する第１の検出部材であって、前記開閉部材が前記開放位置から前記第１の半閉じ位置に移動する際に前記被検出部材の有無の検出結果が切り替わる第１の検出位置に配置された前記第１の検出部材と、
前記被検出部材の有無を検出する第２の検出部材であって、前記開閉部材が前記第１の半閉じ位置から前記第２の半閉じ位置に移動する際に前記被検出部材の有無の検出結果が切り替わり、且つ、前記開閉部材が前記第２の半閉じ位置から前記閉鎖位置に移動する際に前記被検出部材の有無の検出結果が切り替わる第２の検出位置に配置された前記第２の検出部材と、
前記第１の検出部材の有無の検出結果と、前記第２の検出部材の有無の検出結果と、に基づいて、前記開閉部材が、前記開放位置と、前記第１の半閉じ位置と、前記第２の半閉じ位置と、前記閉鎖位置と、に移動したことを検出する前記開閉部材の位置の検出手段と、
を備えたことを特徴とする。
【００１０】
請求項３に記載の発明は、請求項１に記載の画像の読取装置において、
前記開閉部材の開閉に応じて移動可能に支持された被検出部材と、
前記被検出部材の有無を検出する第１の検出部材であって、前記開閉部材が前記開放位置から前記第１の半閉じ位置に移動する際に前記被検出部材の有無の検出結果が切り替わり、且つ、前記開閉部材が前記第１の半閉じ位置から前記第２の半閉じ位置に移動する際に前記被検出部材の有無の検出結果が切り替わる第１の検出位置に配置された前記第１の検出部材と、
前記被検出部材の有無を検出する第２の検出部材であって、前記開閉部材が前記第２の半閉じ位置から前記閉鎖位置に移動する際に前記被検出部材の有無の検出結果が切り替わる第２の検出位置に配置された前記第２の検出部材と、
前記第１の検出部材の有無の検出結果と、前記第２の検出部材の有無の検出結果と、に基づいて、前記開閉部材が、前記開放位置と、前記第１の半閉じ位置と、前記第２の半閉じ位置と、前記閉鎖位置と、に移動したことを検出する前記開閉部材の位置の検出手段と、
を備えたことを特徴とする。
【００１１】
請求項４に記載の発明は、請求項１に記載の画像の読取装置において、
前記開閉部材の開閉に応じて移動可能に支持された被検出部材と、
前記被検出部材の有無を検出する第１の検出部材であって、前記開閉部材が前記開放位置から前記第１の半閉じ位置に移動する際に前記被検出部材の有無の検出結果が切り替わり、且つ、前記開閉部材が前記第２の半閉じ位置から前記閉鎖位置に移動する際に前記被検出部材の有無の検出結果が切り替わる第１の検出位置に配置された前記第１の検出部材と、
前記被検出部材の有無を検出する第２の検出部材であって、前記開閉部材が前記第１の半閉じ位置から前記第２の半閉じ位置に移動する際に前記被検出部材の有無の検出結果が切り替わる第２の検出位置に配置された前記第２の検出部材と、
前記第１の検出部材の有無の検出結果と、前記第２の検出部材の有無の検出結果と、に基づいて、前記開閉部材が、前記開放位置と、前記第１の半閉じ位置と、前記第２の半閉じ位置と、前記閉鎖位置と、に移動したことを検出する前記開閉部材の位置の検出手段と、
を備えたことを特徴とする。
【００１２】
請求項５に記載の発明は、請求項２ないし４のいずれかに記載の画像の読取装置において、
前記第１の検出部材または前記第２の検出部材の有無の検出結果が切り替わる場合において、切り替わる前における前記第１の検出部材と前記第２の検出部材との検出結果の組み合わせと、切り替わった後における前記第１の検出部材と前記第２の検出部材との検出結果の組み合わせと、の組み合わせが全て異なるように予め設定されて、前記第１の検出部材の有無の検出結果と、前記第２の検出部材の有無の検出結果と、に基づいて、前記第１の検出部材または前記第２の検出部材の有無の検出結果が切り替わった場合に、前記開閉部材が前記開放位置から前記閉鎖位置に向かう方向に移動する場合について、前記開閉部材が、前記第１の半閉じ位置と、前記第２の半閉じ位置と、前記閉鎖位置と、に移動したことを検出する前記開閉部材の位置の検出手段、
を備えたことを特徴とする。
【００１３】
前記技術的課題を解決するために、請求項６に記載の発明の画像形成装置は、
媒体から画像を読み取る請求項１ないし５のいずれかに記載の画像の読取装置と、
前記画像の読取装置に読み取られた画像に基づいて、媒体に画像を記録する画像の記録部と、
を備えたことを特徴とする。
【発明の効果】
【００１４】
請求項１，６に記載の発明によれば、本発明の構成を有しない場合に比べて、読取部材が移動する構成において、簡易な構成で媒体の大きさの誤検出を低減することができる。
請求項２ないし４に記載の発明によれば、第１の検出部材と第２の検出部材との２つの検出部材で、開閉部材の４つの位置を検出することができる。
請求項５に記載の発明によれば、開閉部材が開放位置と閉鎖位置との間で移動する方向を検出することができる。
【図面の簡単な説明】
【００１５】
【図１】図１は本発明の実施例１の画像形成装置の全体説明図である。
【図２】図２は実施例１の画像の記録部の要部説明図である。
【図３】図３は実施例１の画像の読取装置と開閉部材の斜視図である。
【図４】図４は実施例１の画像の読取装置の説明図である。
【図５】図５は実施例１の画像の読取装置の説明図であり、図５Ａは画像の読取装置の支持面の説明図、図５Ｂは画像の読取装置を上方から見た場合の説明図である。
【図６】図６は実施例１の開閉部材の位置の検出部材の説明図であり、図６Ａは全体説明図、図６Ｂは図６Ａにおいて矢印ＶＩＢ方向に見た図である。
【図７】図７は実施例１の開閉部材の位置と外光の説明図であり、図７Ａは開閉部材の位置の説明図、図７Ｂは開閉部材が開放位置に移動した場合の説明図、図７Ｃは開閉部材が第１の半閉じ位置に移動した場合の説明図、図７Ｄは開閉部材が第２の半閉じ位置に移動した場合の説明図、図７Ｅは開閉部材が閉鎖位置に移動した場合の説明図である。
【図８】図８は実施例１の被検出部材の要部拡大図であり、図８Ａは開閉部材が開放位置に移動した場合の被検出部材の説明図、図８Ｂは開閉部材が第１の半閉じ位置に移動した場合の被検出部材の説明図、図８Ｃは開閉部材が第２の半閉じ位置に移動した場合の被検出部材の説明図、図８Ｄは開閉部材が第２の半閉じ位置から閉鎖位置に向けて移動する途中の位置の被検出部材の説明図、図８Ｅは開閉部材が閉鎖位置に移動した場合の被検出部材の説明図である。
【図９】図９は実施例１の画像形成装置の制御部が備えている各機能をブロック図で示した図である。
【図１０】図１０は実施例１の開閉部材が開放位置から閉鎖位置に移動する場合のセンサの信号の説明図である。
【図１１】図１１は実施例１の原稿が支持されている場合の読取部材の信号の出力値に関する説明図であり、図１１Ａは開閉部材が第２の半閉じ位置に移動した場合の説明図、図１１Ｂは開閉部材が閉鎖位置に移動した場合の説明図、図１１Ｃは出力値の差分の説明図である。
【図１２】図１２は実施例１の信号の処理手段が処理した結果の説明図である。
【図１３】図１３は実施例１の規格サイズの記憶手段が記憶している情報の説明図である。
【図１４】図１４は実施例１の開閉時のサイズの検出処理のフローチャートの説明図である。
【図１５】図１５は開閉時のサイズの検出処理のフローチャートの説明図であり、図１４の続きのフローチャートの説明図である。
【図１６】図１６は半閉じ位置と外光の従来の構成の説明図であり、図１６Ａは従来の半閉じ位置の説明図、図１６Ｂは従来の半閉じ位置から更に開放された位置を半閉じ位置と設定した場合の説明図、図１６Ｃは図１６Ｂにおいて原稿が配置された場合の説明図である。
【発明を実施するための形態】
【００１６】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１７】
図１は本発明の実施例１の画像形成装置の全体説明図である。
図１において、実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像の読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１８】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１９】
スキャナ部Ｕ２の上面には、透明な原稿台の一例としてのプラテンガラスＰＧが配置されている。実施例１のスキャナ部Ｕ２には、プラテンガラスＰＧの下方に、読取ユニットＵ２ａが配置されている。読取ユニットＵ２ａは、読取り用の光学系Ａと、読取り用の光学系Ａを通過した光を受光する撮像部材ＣＣＤとを有する。実施例１の読取ユニットＵ２ａは、プラテンガラスＰＧの下面に沿って、左右方向に移動可能に支持されている。読取ユニットＵ２ａは、通常時は、図１の実線で示す初期位置に停止している。なお、撮像部材ＣＣＤには、画像処理部ＧＳが電気的に接続されている。
【００２０】
図２は実施例１の画像の記録部の要部説明図である。
画像処理部ＧＳは、プリンタ部Ｕ１の書込回路ＤＬに電気的に接続されている。書込回路ＤＬは、潜像の形成装置の一例としての露光装置ＲＯＳに電気的に接続されている。
実施例１の露光装置ＲＯＳは、書込光の一例としてのＹ，Ｍ，Ｃ，Ｋの各色に対応したレーザービームＬｙ，Ｌｍ，Ｌｃ，Ｌｋを出力可能に構成されている。露光装置ＲＯＳは、書込回路ＤＬから入力された信号に応じたレーザービームＬｙ〜Ｌｋを出力可能に構成されている。
図１において、各露光装置ＲＯＳの上方には、像保持体の一例としての感光体ＰＲｙ，ＰＲｍ，ＰＲｃ，ＰＲｋが配置されている。図１、図２において、各感光体ＰＲｙ〜ＰＲｋにレーザービームＬｙ〜Ｌｋが照射される領域により、書込領域Ｑ１ｙ，Ｑ１ｍ，Ｑ１ｃ，Ｑ１ｋが構成されている。
【００２１】
各感光体ＰＲｙ，ＰＲｍ，ＰＲｃ，ＰＲｋの回転方向に対して、書込領域Ｑ１ｙ〜Ｑ１ｋの上流側には、帯電器の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、書込領域Ｑ１ｙ〜Ｑ１ｋの下流側には、現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００２２】
感光体ＰＲｙ〜ＰＲｋの回転方向に対して、現像装置Ｇｙ〜Ｇｋの下流側には、１次転写器の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、像保持体の清掃器の一例としての感光体クリーナＣＬｙ，ＣＬｍ，ＣＬｃ，ＣＬｋが配置されている。
【００２３】
前記Ｙ色の感光体ＰＲｙ、帯電ロールＣＲｙ、Ｙ色のレーザービームＬｙを出力する露光装置ＲＯＳ、現像装置Ｇｙ、１次転写ロールＴ１ｙ、感光体クリーナＣＬｙにより、可視像の一例としてのトナー像を形成する実施例１のＹ色の可視像の形成装置の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、露光装置ＲＯＳ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２４】
前記感光体ＰＲｙ〜ＰＲｋの上方には、中間転写装置の一例としてのベルトモジュールＢＭが配置されている。ベルトモジュールＢＭは、中間転写体の一例としての中間転写ベルトＢを有する。中間転写ベルトＢは、無端帯状の部材により構成されている。
実施例１の中間転写ベルトＢは、駆動部材の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００２５】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２６】
図１において、作像部Ｕｙ〜Ｕｋの下方には、案内部材の一例としての左右一対のガイドレールＧＲが３段設けられている。各ガイドレールＧＲには、媒体の収容部の一例としての給紙トレイＴＲ１〜ＴＲ３が前後方向に出入可能に支持されている。給紙トレイＴＲ１〜ＴＲ３には、媒体の一例としての記録シートＳが収容される。
給紙トレイＴＲ１〜ＴＲ３の右上方には、取出部材の一例としてのピックアップロールＲｐが配置されている。記録シートＳの搬送方向に対して、ピックアップロールＲｐの下流側には、捌き部材の一例としてのさばきロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送部材の一例としての複数の搬送ロールＲａが配置されている。
【００２７】
給紙路ＳＨ１には、２次転写領域Ｑ４の上流側に、搬送時期の調節部材の一例としてのレジロールＲｒが配置されている。
シートＳの搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ２が配置されている。プリンタ部Ｕ１の上面には、媒体の排出部の一例としての排紙トレイＴＲｈが形成されている。排紙路ＳＨ２は、排紙トレイＴＲｈに向けて延びる。排紙路ＳＨ２の下流端には、媒体の搬送部材の一例としての排紙ロールＲｈが配置されている。
【００２８】
（画像形成動作の説明）
前記構成を備えた実施例１の複写機Ｕでは、原稿Ｇｉを作業者が手でプラテンガラスＰＧ上に置いて複写を行う場合には、読取ユニットＵ２ａが初期位置から左右方向に移動して、プラテンガラスＰＧ上の原稿Ｇｉが、露光されながら走査される。また、前記オートフィーダＵ３を使用して自動的に原稿Ｇｉを搬送して複写を行う場合には、読取ユニットＵ２ａは、初期位置から、図１の破線で示す原稿の読み取り位置に移動して停止する。そして、原稿トレイＴＧ１に収容された複数の原稿Ｇｉは、プラテンガラスＰＧ上の原稿の読み取り位置に順次搬送されて通過し、原稿排紙トレイＴＧ２に排出される。したがって、プラテンガラスＰＧ上の読み取り位置を順次通過する各原稿Ｇｉは、停止した読取ユニットＵ２ａに露光されて走査される。なお、原稿Ｇｉからの反射光は、読取り用の光学系Ａを通って、撮像部材ＣＣＤに集光される。前記撮像部材ＣＣＤは、撮像面に集光された原稿Ｇｉの反射光を電気信号に変換する。
【００２９】
画像処理部ＧＳは、撮像部材ＣＣＤから出力された電気信号が入力される。画像処理部ＧＳは、撮像部材ＣＣＤが読み取ったＲ，Ｇ，Ｂの色の画像の電気信号を、潜像形成用のイエローＹ、マゼンタＭ、シアンＣ、黒Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＲＯＳに出力する。露光装置ＲＯＳは、制御信号に応じたレーザービームＬｙ〜Ｌｋを出力する。
【００３０】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、レーザービームＬｙ〜Ｌｋにより、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００３１】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００３２】
画像が記録されるシートＳは、使用される給紙トレイＴＲ１〜ＴＲ３のピックアップロールＲｐにより、取り出される。ピックアップロールＲｐで取り出されたシートＳは、複数枚のシートＳが重ねて取り出された場合、捌きロールＲｓにより１枚ずつに分離される。捌きロールＲｓで分離されたシートＳは、搬送ロールＲａにより給紙路ＳＨ１を搬送される。給紙路ＳＨ１を搬送されたシートＳは、レジロールＲｓに送られる。
レジロールＲｒは、中間転写ベルトＢに形成されたトナー像が２次転写領域Ｑ４に搬送される時期を合わせて、シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢからシートＳに転写される。
【００３３】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳは、排紙路ＳＨ２を搬送される。排紙路ＳＨ２を搬送されたシートＳは、排紙ロールＲｈにより排紙トレイＴＲｈに排出される。
【００３４】
（画像の読取装置の説明）
図３は実施例１の画像の読取装置と開閉部材の斜視図である。
図３において、画像の読取装置の一例としてのスキャナ部Ｕ２は、筐体の一例としてのケース１を有する。前記ケース１の上面には、開口の一例としてのガラスの支持口１ａが形成されている。前記ガラスの支持口１ａは左右方向に長い長方形状に形成されている。前記ガラスの支持口１ａの左部には、前後方向に延びる板状の仕切り部２が形成されている。前記仕切り部２は、ガラスの支持口１を、右側の手動の読取口１ａ１と、左端側の自動の読取口１ａ２と、に仕切っている。よって、各読取口１ａ１,１ａ２は、長方形状に構成されている。
前記ガラスの支持口１ａの左後方には、ケース１の上面の左後隅に対応して、角孔１ｂが形成されている。前記角孔１ｂはケース１の上面を上下方向に貫通している。
【００３５】
図４は実施例１の画像の読取装置の説明図である。
図５は実施例１の画像の読取装置の説明図であり、図５Ａは画像の読取装置の支持面の説明図、図５Ｂは画像の読取装置を上方から見た場合の説明図である。
図３〜図５において、手動の読取口１ａ１には、手動側の光透過部材の一例としての読取ガラス３が支持されている。実施例１の読取ガラス３は、透明な平板状のガラスで形成されている。前記読取ガラス３には、画像の記録された媒体、いわゆる、原稿Ｇｉが支持される。なお、前記読取ガラス３は、予め設定された読取可能な最大の原稿の大きさに基づいて形成されている。実施例１では、読取可能な最大の原稿の大きさ、すなわち、読取可能な最大の原稿のサイズは、一例として、規格化されたサイズのＡ３が設定されている。すなわち、実施例１の読取ガラス３は、左右方向がＡ３サイズの長辺に対応し、且つ、前後方向がＡ３サイズの短辺に対応する大きさに形成されている。
【００３６】
前記読取ガラス３の後方には、左右方向に延びる板状の後側の揃え部４が支持されている。前記後側の揃え部４は読取ガラス３の後端に沿って配置されている。前記後側の揃え部４は、読取ガラス３の上面に対して上方に段差を有する状態で配置されている。よって、後側の揃え部４には、原稿Ｇｉの後端の縁を接触させて、原稿Ｇｉの後端の位置を揃えることが可能になっている。また、前記読取ガラス３の左方、すなわち、仕切り部２の右部には、前後方向に延びる板状の左側の揃え部６が支持されている。前記左側の揃え部６は、読取ガラス３の左端に沿って配置されている。前記左側の揃え部６は、読取ガラス３の上面に対して上方に段差を有する板状に形成されている。よって、左側の揃え部６には、原稿Ｇｉの左端の縁を接触させて、原稿Ｇｉの左端の位置を揃えることが可能になっている。
【００３７】
前記後側の揃え部４の左側で且つ前記左側の揃え部６の後側には、表示部の一例として、四角形状の表示板７が配置されている。前記表示板７の上面には、原稿の基準位置を示す印の一例としての矢印マーク８が付されている。前記矢印マーク８の先端８ａは、後側の揃え部４と左側の揃え部６とで構成される角、すなわち、読取ガラス３の左後の角の位置Ｐ１を指し示している。よって、実施例１では、図４Ｂにおいて、原稿の基準位置は、原稿Ｇｉの左後隅の角が矢印マーク８の先端８ａに向けて突き当てられる位置、すなわち、原稿Ｇｉの後端の縁が後側の揃え部４に接触し且つ原稿Ｇｉの左端の縁が左側の揃え部６に接触する位置が設定されている。なお、各揃え部４,６の上面には、原稿の大きさを示す印の一例としてのサイズマーク９が付されている。実施例１のサイズマーク９では、Ａ３、Ａ４やＢ５、ＵＳレターなどの規格化されたサイズ毎に、基準位置の原稿Ｇｉの右端の縁の位置と前端の縁の位置に対応して印が付されている。
【００３８】
図３〜図５において、前記自動の読取口１ａ２には、自動側の光透過部材の一例としての読取ガラス１１が支持されている。実施例１の読取ガラス１１は、透明な平板状のガラスで形成されている。なお、前記読取ガラス１１の前後方向の長さは、予め設定された読取可能な最大の原稿の大きさに基づいて形成されている。実施例１では、前記読取ガラス１１の前後方向の長さは、Ａ３サイズの短辺の長さに対応して形成されている。前記読取ガラス３と前記読取ガラス１１とにより、実施例１の支持面の一例としてのプラテンガラスＰＧが構成されている。
前記読取ガラス１１の右方、すなわち、仕切り部２の左部には、原稿の案内部材の一例として、前後方向に延びる原稿のガイド１２が支持されている。前記原稿のガイド１２は、左端の高さが読取ガラス１１の上面よりも低く設定され且つ右側に進むに連れて上方に傾斜する形状に形成されている。
【００３９】
図１、図４において、プラテンガラスＰＧの下方には、読取ユニットＵ２ａが配置されている。
前記読取ユニットＵ２ａの上部には、光源の一例としての前後方向に延びる蛍光ランプ２１が支持されている。前記蛍光ランプ２１は、光を照射可能に構成されている。前記蛍光ランプ２１の左上には、プラテンガラスＰＧ上の原稿Ｇｉから画像を読み取る読取位置Ｐ１１が設定されている。前記蛍光ランプ２１の左方には、読取位置Ｐ１１の下方に対応して、反射部材の一例として、前後方向に延びる板状の第１ミラー２２が配置されている。前記第１のミラー２２は、前記読取位置Ｐ１１を下方に進む光を左方に反射可能に傾斜して支持されている。
【００４０】
前記第１のミラー２２の左方には、前後方向に延びる板状の第２のミラー２３が配置されている。前記第２のミラー２３は、左方に進む光を下方に反射可能に傾斜して支持されている。前記第２のミラー２３の下方には、前後方向に延びる板状の第３のミラー２４が配置されている。前記第３のミラー２４は、下方に進む光を右方に反射可能に傾斜して支持されている。前記第３のミラー２４の右方には、前後方向に延びる板状の第４のミラー２６が配置されている。前記第４のミラー２６は、右方に進む光を下方に反射可能に傾斜して支持されている。前記第４のミラー２６の下方には、前後方向に延びる板状の第５のミラー２７が配置されている。前記第５のミラー２７は、下方に進む光を左方に反射可能に傾斜して支持されている。
【００４１】
前記第５のミラー２７の左方には、光学素子の一例としてのレンズ２８が配置されている。前記レンズ２８は、第５のミラー２７で反射された光を集光可能に構成されている。前記レンズ２８の左側には、読取部材の一例としての撮像部材ＣＣＤが配置されている。前記撮像部材ＣＣＤは、レンズ２８が集光した光を受光して、第１の方向の一例としての前後方向に沿った画像を読み取り可能に構成されている。よって、実施例１では、いわゆる、撮像部材ＣＣＤの主走査方向として、前後方向が設定されている。
前記ミラー２２〜２７と、レンズ２８とにより、実施例１の読取り用の光学系Ａが構成されている。また、前記蛍光ランプ２１と、読取り用の光学系Ａと、撮像部材ＣＣＤとにより、実施例１の読取ユニットＵ２ａが構成されている。
【００４２】
図５Ｂにおいて、前記読取ユニットＵ２ａの下方には、ユニットの案内部材の一例であって、ユニットの支持部材の一例としてのガイドレール３１が支持されている。前記ガイドレール３１は、第１の方向に交差する第２の方向の一例としての左右方向に延びている。前記ガイドレール３１には、読取ユニットＵ２ａが移動可能に支持されている。すなわち、読取ユニットＵ２ａは、ガイドレール３１に沿って左右方向に移動可能に支持されている。よって、実施例１では、いわゆる、撮像部材ＣＣＤの副走査方向として、左右方向が設定されている。
【００４３】
前記ガイドレール３１の後側には、張架用の支持部材の一例として、左右一対のプーリ３２，３３が配置されている。前記プーリ３２，３３は、上下方向を回転中心として回転可能に支持されている。前記プーリ３２，３３には、動力の伝達部材の一例として、無端状のベルト３４が回転可能に張架されている。前記ベルト３４の張架されて直線状に延びる２本の部分の一方には、読取ユニットＵ２ａが支持される。前記ベルト３４は、駆動源の一例としての正逆駆動可能なモータ３６から動力が伝達される。よって、モータＭ１が正逆駆動すると、ベルト３４は正逆回転して、読取ユニットＵ２ａがガイドレール３１に沿って左右方向に移動する。
【００４４】
図４において、読取ユニットＵ２ａが通過する空間の下方には、読取ユニットＵ２ａの初期位置に対応して、読取ユニットＵ２ａを検出する検出部材の一例としての第１のユニットセンサ３７が配置されている。前記第１のユニットセンサ３７は、読取ユニットＵ２ａが図４の実線で示す初期位置に移動したか否かを検出する。なお、実施例１の初期位置は、読取ユニットＵ２ａの読取位置Ｐ１１が、読取ガラス３の左端部に移動する位置が設定されている。具体的には、読取ユニットＵ２ａの読取位置Ｐ１１が、左側の原稿の揃え部６の右端の縁から距離Ｌ１だけ右側に離間した位置が、初期位置として設定されている。なお、前記距離Ｌ１は、原稿Ｇｉが左側の原稿の揃え部６に完全に接触してなくても原稿Ｇｉのサイズを検出可能なように、余裕、いわゆる、マージンを含めて設定されている。
【００４５】
また、読取ユニットＵ２ａが通過する空間の下方には、読取ユニットＵ２ａの自動用の原稿の読取位置に対応して、第２のユニットセンサ３８が配置されている。第２のユニットセンサ３８は、読取ユニットＵ２ａが図４の破線で示す自動の原稿の読取位置に移動したか否かを検出する。なお、実施例１では、自動用の原稿の読取位置は、読取ユニットＵ２ａの読取位置Ｐ１１が、自動用の読取ガラス１１の左右方向内側に移動する位置が設定されている。
【００４６】
読取ユニットＵ２ａが通過する空間の下方には、第２の方向の検出部材の一例としての原稿のセンサ４１が配置されている。図４、図５において、前記原稿のセンサ４１は、手動用の読取ガラス３の後部に対応して配置されている。実施例１では、ガイドレール３１よりも後側に配置されている。また、前記原稿のセンサ４１は、左右方向、すなわち、副走査方向において予め設定された位置に配置されている。具体的には、実施例１の原稿のセンサ４１は、左側の原稿の揃え部６の右端の縁から距離Ｌ２だけ右側に離間した位置に配置されている。前記距離Ｌ２は、初期位置に移動した読取ユニットＵ２ａよりも右側に、原稿のセンサ４１が配置される距離が設定されている。特に、実施例１では、前記距離Ｌ２は、ＵＳレターサイズの短辺よりも長く且つＢ５サイズの長辺よりも短い距離が設定されている。
【００４７】
前記原稿のセンサ４１は、読取ガラス３に向けて光を発する発光部４２を有する。また、前記原稿のセンサ４１は、読取ガラス３を通過した光を受光する受光部４３を有する。すなわち、実施例１の原稿のセンサ４１は、いわゆる、反射型のフォトセンサにより構成されている。よって、前記原稿のセンサ４１は、読取ガラス３の後部で、且つ、左側の原稿の揃え部６の右端の縁から右側に距離Ｌ２離れた位置を検出位置Ｐ１２として、読取ガラス３上に支持された原稿Ｇｉを検出可能に構成されている。なお、読取ユニットＵ２ａが初期位置に移動している場合に、読取ユニットＵ２ａは、原稿のセンサ４１から左方に離れた位置に移動している。よって、読取ユニットＵ２ａが初期位置に移動している場合には、原稿のセンサ４１は読取ガラス３を通過した光を受光可能に構成されている。
【００４８】
（原稿の搬送装置と開閉部材の説明）
図１、図３、図４において、スキャナ部Ｕ２の上部には、オートーフィーダＵ３が配置されている。前記オートフィーダＵ３は、開閉部材の一例としての板状のカバー５１を有する。前記カバー５１は、スキャナ部Ｕ２のケース１の上面に対応した形状に形成されている。前記カバー５１は、開閉用の支持部材の一例として、左右一対の蝶番、いわゆる、ヒンジ５２，５３を介して、スキャナ部Ｕ２のケース１の上面後部に支持されている。前記ヒンジ５２，５３は、左右方向に延びる回転軸５２ａ，５３ａを有している。よって、実施例１のカバー５１は、回転軸５２ａ，５３ａを回転中心として回転可能に構成されている。したがって、前記カバー５１は、プラテンガラスＰＧを閉鎖する図１、図４に示す閉鎖位置と、プラテンガラスＰＧをスキャナ部Ｕ２の外部に対して開放する図３に示す開放位置と、の間を開閉可能に構成されている。
【００４９】
前記カバー５１の下面には、対向部材の一例としての板状の押さえ板５４が支持されている。前記押さえ板５４は、手動の読取ガラス３の位置に対応して配置されている。前記押さえ板５４は、読取ガラス３に比べて大きい形状に形成されている。前記押さえ板５４は、緩衝部材の一例としてのスポンジ５６を介して支持されている。よって、カバー５１が閉鎖位置に移動した場合には、押さえ板５４は、読取ガラス３に対向して読取ガラス３に接触する。このとき、スポンジ５６は弾性圧縮される。したがって、押さえ板５４は読取ガラス３に原稿Ｇｉを密着可能に構成されている。実施例１では、前記押さえ板５４は白色に設定されている。
【００５０】
前記押さえ板５４の左方には、原稿Ｇｉの幅方向に延びる開口部５７が形成されている。前記開口部５７は、原稿の搬送路Ｕ３ａの途中で且つ自動の読取ガラス１１と原稿のガイド１２とに対向可能な位置に形成されている。前記開口部５７には、媒体の案内部材の一例としての原稿ガイド５８が配置されている。前記原稿ガイド５８の下面には、媒体の案内部の一例としての原稿のガイド面５８ａが形成されている。前記原稿のガイド面５８ａは、カバー５１が閉鎖位置に移動した場合に、読取ガラス１１と原稿のガイド１２とに対向する。前記原稿ガイド５８は、弾性部材の一例としてのバネ５９で下方に押されている。よって、前記原稿ガイド５９は、原稿の搬送路Ｕ３ａを搬送される原稿Ｇｉを、原稿のガイド面５８ａで案内しながら自動用の読取ガラス１１に押し付けるように構成されている。実施例１では、前記原稿ガイド面５８ａは白色に設定されている。
【００５１】
前記開口部５７の左後には、スキャナ部Ｕ２のケース１に形成された角孔１ｂの位置に対応して、接触部の一例としての凹部６１が形成されている。前記凹部６１は、カバー５１の下面に対して上方に凹んだ形状をしている。前記凹部６１は、頂面６１ａと、前記頂面６１ａの後端から後側に向かうに連れて凹みが浅くなる方向に傾斜する傾斜部６１ｂとを有する。
前記カバー５１、押さえ板５４、スポンジ５６、開口部５７、原稿ガイド５８、バネ５９と、凹部６１、原稿の搬送路Ｕ３ａ、原稿の搬送ロールＵ３ｂ、原稿トレイＴＧ１、原稿の排紙トレイＴＧ２、そして、原稿トレイＴＧ１に原稿Ｇｉが積載されているか否かを検出するセンサＳＮ１などにより、実施例１の原稿の搬送装置の一例としてのオートフィーダＵ３が構成されている。
【００５２】
（開閉部材の位置の検出部材の説明）
図６は実施例１の開閉部材の位置の検出部材の説明図であり、図６Ａは全体説明図、図６Ｂは図６Ａにおいて矢印ＶＩＢ方向に見た図である。
図３、図６において、前記スキャナ部Ｕ２のケース１の角孔１ｂには、被検出部材の一例としての移動部材７１が配置されている。前記移動部材７１は、上下方向に延びる本体部７２を有する。前記本体部７２は、角孔１ｂの形状に対応した四角柱状に形成されている。前記本体部７２は、角孔１ｂの内部に沿って上下方向に移動可能に支持されている。前記本体部７２の上部には、接触部の一例としての先端部７３が形成されている。前記先端部７３は、前後方向中央部から前後方向外側に行くに連れて下方に傾斜した逆Ｖ字状に形成されている。前記先端部７３は、カバー５１が開放位置から閉鎖位置に移動する場合に、カバー５１に形成された凹部６１に接触可能に構成されている。
【００５３】
図６において、前記先端部７３の下方には、本体部７２の外周に対して突出した鍔状の規制部７４が形成されている。前記規制部７４は、本体部７２が案内される図示しない案内部の外壁下部に接触可能に構成されている。すなわち、前記規制部７４は、本体部７２が上方に抜けてしまうことを規制可能に構成されている。実施例１の規制部７４は、先端部７３がケース１の上面に対して上方に突出する図３に示す突出位置まで本体部７２が上方に移動可能な位置に、形成されている。なお、突出位置の先端部７３に対して、カバー５１は離間可能に構成されている。
【００５４】
図６において、前記規制部７４の下方で且つ本体部７２の後部には、第１の被検出部の一例としての第１の遮光部７６が支持されている。前記第１の遮光部７６は、上下方向に延び且つ左右方向に厚みを有する平板状に形成されている。前記第１の遮光部７４の下方には、第２の被検出部の一例としての第２の遮光部７７が支持されている。前記第２の遮光部７７は、前記第１の遮光部７６から離間している。実施例１の第２の遮光部７７は、上下方向に延び且つ左右方向に厚みを有する平板状に形成されている。前記第１の遮光部７６と第２の遮光部７７とにより、実施例１の被検出部７６＋７７が構成されている。なお、前記第１の遮光部７６の上方の空間と、前記第１の遮光部７６と第２の遮光部７７との間の空間と、第２の遮光部７７の下方の空間とにより、光の通過部７８が構成されている。
前記本体部７２、先端部７３、規制部７４、被検出部７６＋７７などにより、実施例１の移動部材７１が構成されている。
【００５５】
前記移動部材７１は、付勢部材の一例としてのバネ７９により上方に付勢されている。よって、移動部材７１は、下方に押されていない場合には、バネ７９の付勢力と規制部７４とにより、突出位置に保持可能に構成されている。また、前記移動部材７１は、下方に押された場合には、バネ７９の付勢力に抗して先端部７３がケース１に対して埋没する埋没位置にまで移動可能に構成されている。よって、カバー５１が開放位置から閉鎖位置に移動する場合に、カバー５１の凹部６１が先端部７３に接触すると、移動部材７１がカバー５１に押されながら下方に移動可能に構成されている。また、カバー５１が閉鎖位置から開放位置に向けて移動する場合には、バネ７９の付勢力により、先端部７３がカバー５１の凹部６１に接触しながら追従可能に構成されている。すなわち、移動部材７１はカバー５１の開閉移動に応じて、上下方向に移動可能に構成されている。
【００５６】
前記移動部材７１の後側には、第１の検出部材の一例としての第１のセンサ８１が配置されている。前記第１のセンサ８１は、光を発光する発光部８２と、前記発光部８３に対向して配置され且つ前記発光部８２から発せられた光を受光する受光部８２とを有する。よって、実施例１の第１のセンサ８１は、いわゆる、透過型のフォトセンサにより構成されている。前記発光部８２と受光部８３とは、移動部材７１の被検出部７６＋７７が通過する空間を挟んで互いに対向して配置されている。したがって、前記第１のセンサ８１は、移動部材７１の被検出部７６＋７７の有無を、発光部８２と受光部８３との間の第１の検出位置Ｐ２１において検出可能に構成されている。前記第１のセンサ８１の下方には、第２の検出部材の一例としての第２のセンサ８６が配置されている。前記第２のセンサ８６は、検出位置Ｐ２２が第１の検出位置Ｐ２１と異なるだけで、第１のセンサ８１と同様に構成されている。すなわち、前記第２のセンサ８６は、移動部材７１の被検出部７６＋７７の有無を、発光部８７と受光部８８との間の第２の検出位置Ｐ２２において検出可能に構成されている。
【００５７】
（開閉部材と被検出部材の関係の説明）
図７は実施例１の開閉部材の位置と外光の説明図であり、図７Ａは開閉部材の位置の説明図、図７Ｂは開閉部材が開放位置に移動した場合の説明図、図７Ｃは開閉部材が第１の半閉じ位置に移動した場合の説明図、図７Ｄは開閉部材が第２の半閉じ位置に移動した場合の説明図、図７Ｅは開閉部材が閉鎖位置に移動した場合の説明図である。
実施例１のカバー５１は、図７Ａの実線で示す開放位置から図７Ａの破線で示す閉鎖位置に移動する際に、図７Ａの一点鎖線で示す第１の半閉じ位置と、図７Ａの二点鎖線で示す第２の半閉じ位置とを通過する。前記第１の半閉じ位置は、カバー５１が原稿のセンサ４１に入射する外光を遮断し且つ押さえ板５４が原稿のセンサ４１に検出不能な位置に設定されている。また、前記第２の半閉じ位置は、第１の半閉じ位置に比べて閉鎖位置側に設定され、カバー５１が撮像部材ＣＣＤに入射する外光を遮断し且つ押さえ板５４が原稿のセンサ４１に検出可能な位置に設定されている。
【００５８】
ここで、原稿のセンサ４１は、発光部４２と受光部４３とを有しており、受光部４３が受光した光に基づいて原稿Ｇｉを検出可能に構成されている。具体的には、プラテンガラスＰＧ上の検出位置Ｐ１２に原稿Ｇｉが支持されている場合、発光部４２が発した光が検出位置Ｐ１２の原稿Ｇｉで反射されて受光部４３に受光される。ここで、原稿Ｇｉは一般的に白地であり光の反射率が高く、受光部４３に受光される光の量が多い。よって、実施例１の原稿のセンサ４１では、受光部４３が受光した光の量が予め設定された光の量よりも多い場合に、プラテンガラスＰＧ上の検出位置Ｐ１２に、白地の原稿Ｇｉが支持されているものとして原稿Ｇｉを検出可能に構成されている。
【００５９】
しかしながら、この構成では、白地の原稿ＧｉがプラテンガラスＰＧ上に支持されていない場合であっても、カバー５１の押さえ板５４からの反射光の量が多く、受光部４３が受光した光の量が予め設定された光の量よりも多い場合には、押さえ板５４を白地の原稿Ｇｉとして誤検出してしまう。すなわち、原稿のセンサ４１は、押さえ板５４を検出する場合もある。よって、本願の明細書および特許請求の範囲では、原稿のセンサ４１が、押さえ板５４を検出可能な位置とは、押さえ板５４からの反射光の量が多くて、受光部４３が受光する光の量が予め設定された光の量よりも多くなる位置を指す意味で使用する。また、原稿のセンサ４１が、押さえ板５４を検出不能な位置とは、押さえ板５４からの反射光の量が少なくて、受光部４３が受光する光の量が予め設定された光の量よりも少なくなる位置を指す意味で使用する。
【００６０】
図８は実施例１の被検出部材の要部拡大図であり、図８Ａは開閉部材が開放位置に移動した場合の被検出部材の説明図、図８Ｂは開閉部材が第１の半閉じ位置に移動した場合の被検出部材の説明図、図８Ｃは開閉部材が第２の半閉じ位置に移動した場合の被検出部材の説明図、図８Ｄは開閉部材が第２の半閉じ位置から閉鎖位置に向けて移動する途中の位置の被検出部材の説明図、図８Ｅは開閉部材が閉鎖位置に移動した場合の被検出部材の説明図である。
また、実施例１の移動部材７１では、突出位置において本体部７２が突出する長さは、開放位置のカバー５１の凹部６１から離間し、第１の半閉じ位置のカバー５１の凹部６１に接触して下方に押される長さに設定されている。
【００６１】
また、実施例１の第１の遮光部７６では、図８Ａに示す突出位置において、下端７６ａが第１の検出位置Ｐ２１よりも上方に位置し、且つ、図８Ｂに示すカバー５１が第１の半閉じ位置に移動した場合に、下端７６ａが第１の検出位置Ｐ２１に位置するように上下方向の長さが設定されている。また、実施例１の第１の遮光部７６では、図８Ｃに示すカバー５１が第２の半閉じ位置に移動した場合に、上端７６ｂが第１の検出位置Ｐ２１よりも上方に位置し、且つ、図８Ｅに示すカバー５１が閉鎖位置に移動した場合に、上端７６ｂが第１の検出位置Ｐ２１よりも下方に位置するように上下方向の長さが設定されている。
【００６２】
さらに、実施例１の第２の遮光部７７では、図８Ｂに示すカバー５１が第１の半閉じ位置に移動した場合に、下端７７ａが第２の検出位置Ｐ２２よりも上方に位置し、且つ、図８Ｃに示すカバー５１が第２の半閉じ位置に移動した場合に、下端７７ａが第２の検出位置Ｐ２２に位置するように上下方向の長さが設定されている。また、実施例１の第２の遮光部７７では、図８Ｃに示すカバー５１が第２の半閉じ位置に移動した場合に、上端７７ｂが第２の検出位置Ｐ２２よりも上方に位置し、且つ、図８Ｅに示すカバー５１が閉鎖位置に移動した場合に、上端７７ｂが第２の検出位置Ｐ２２に位置するように上下方向の長さが設定されている。
【００６３】
なお、実施例１の移動部材７１では、第１の遮光部７６の下端７６ａと第２の遮光部７７の上端７７ｂとの間隔は、図８Ａに示す突出位置では、第２の遮光部７７の上端７７ｂが第１の検出位置Ｐ２１よりも下方に位置し、且つ、図８Ｅに示すカバー５１が閉鎖位置に移動した場合には、第１の遮光部７６の下端７６ａが第２の検出位置Ｐ２２よりも上方に位置するように間隔が設定されている。
すなわち、実施例１では、第１のセンサ８１は、カバー５１が開放位置から第１の半閉じ位置に移動する場合に移動部材７１の有無の検出結果が切り替わる第１の検出位置Ｐ２１に配置されている。また、実施例１では、第２のセンサ８６は、カバー５１が第１の半閉じ位置から第２の半閉じ位置に移動する場合に移動部材７１の有無の検出結果が切り替わり、且つ、カバー５１が第２の半閉じ位置から閉鎖位置に移動する場合に移動部材７１の有無の検出結果が切り替わる第２の検出位置Ｐ２２に配置されている。
前記移動部材７１と、バネ７９と、第１のセンサ８１と、第２のセンサ８６とにより、実施例１の開閉部材の位置の検出部材の一例としての開閉のセンサユニット９１が構成されている。
【００６４】
（実施例１の制御部の説明）
図９は実施例１の画像形成装置の制御部が備えている各機能をブロック図で示した図である。
図９において、複写機Ｕが有する制御部の一例としてのコントローラＣは、外部との信号の入出力等を行う入出力インターフェースＩ／Ｏを有する。また、コントローラＣは、必要な処理を行うためのプログラムおよび情報等が記憶されたＲＯＭ：リードオンリーメモリを有する。また、コントローラＣは、必要なデータを一時的に記憶するためのＲＡＭ：ランダムアクセスメモリを有する。また、コントローラＣは、ＲＯＭ等に記憶されたプログラムに応じた処理を行うＣＰＵ：中央演算処理装置を有する。したがって、実施例１のコントローラＣは、小型の情報処理装置、いわゆるマイクロコンピュータにより構成されている。よって、コントローラＣは、ＲＯＭ等に記憶されたプログラムを実行することにより種々の機能を実現することができる。
【００６５】
（コントローラＣに接続された信号出力要素）
前記プリンタ部Ｕ１のコントローラＣは、ユーザインタフェースＵ０や、撮像部材ＣＣＤ、ユニットセンサ３７，３８、原稿のセンサ４１、第１のセンサ８１、第２のセンサ８６、センサＳＮ１等の信号出力要素からの出力信号が入力されている。
Ｕ０：ユーザインタフェース
ユーザインタフェースＵ０は、電源の投入部の一例としての電源ボタンＵ０１や、表示部の一例としての表示パネルＵ０２、複写開始の入力部の一例としてのスタートボタンＵ０３、数字入力部Ｕ０４、矢印入力部Ｕ０５等を備えている。
ＣＣＤ：撮像部材
撮像部材ＣＣＤは、プラテンガラスＰＧ上の原稿Ｇｉからの反射光や、押さえ板５４や原稿ガイド５９からの反射光を受光して、受光量に応じた電気信号を出力する。
【００６６】
３７，３８：ユニットセンサ
ユニットセンサ３７，３８は、読取ユニットＵ２ａの有無を検出する。第１のユニットセンサ３７は、読取ユニットＵ２ａが図４の実線で示す初期位置に有るか無いかを検出する。第２のユニットセンサ３８は、読取ユニットＵ２ａが図４の破線で示す自動用の原稿の読取位置に有るか無いかを検出する。
４１：原稿のセンサ
原稿のセンサ４１は、原稿Ｇｉからの反射光や、押さえ板５４からの反射光などを受光して、プラテンガラスＰＧ上の検出位置Ｐ１２の原稿Ｇｉを検出する。
８１：第１のセンサ
第１のセンサ８１は、第１の検出位置Ｐ２１における移動部材７１の有無を検出する。
８６：第２のセンサ
第２のセンサ８６は、第２の検出位置Ｐ２２における移動部材７１の有無を検出する。
ＳＮ１：センサ
オートフィーダＵ３のセンサＳＮ１は、原稿トレイＴＧ１に原稿Ｇｉが積載されているか否かを検出する。
【００６７】
（コントローラＣに接続された被制御要素）
コントローラＣは、駆動源の駆動回路Ｄ１や、オートフィーダの駆動回路Ｄ２、ユニットの駆動回路Ｄ３、電源回路Ｅ、その他の図示しない制御要素に接続されている。コントローラＣは、各回路Ｄ１〜Ｄ３，Ｅ等へ、それらの制御信号を出力している。
Ｄ１：駆動源の駆動回路
駆動源の駆動回路Ｄ１は、駆動源の一例としてのメインモータＭ１を駆動することにより、感光体ＰＲｙ〜ＰＲｋ、現像装置Ｇｙ〜Ｇｋの現像剤保持体、中間転写ベルトＢ、定着装置Ｆの加熱ロールＦｈ、搬送ロールＲａ等を回転駆動する。
【００６８】
Ｄ２：オートフィーダの駆動回路
原稿の搬送用の駆動回路の一例としてのオートフィーダの駆動回路Ｄ２は、原稿の搬送用の駆動源の一例としてのオートフィーダのモータＭ２を駆動することにより、原稿の搬送路Ｕ３ａに配置された原稿の搬送ロールＵ３ｂを回転駆動する。
Ｄ３：ユニットの駆動回路
読取ユニットの駆動回路の一例としてのユニットの駆動回路Ｄ３は、モータ３６を駆動することにより、ベルト３４などを介して、読取ユニットＵ２ａを左右方向に移動させる。
【００６９】
Ｅ：電源回路
電源回路Ｅは、現像用の電源回路Ｅ１、帯電用の電源回路Ｅ２、転写用の電源回路Ｅ３と定着用の電源回路Ｅ４とを有している。
Ｅ１：現像用の電源回路
現像用の電源回路Ｅ１は、現像装置Ｇｙ〜Ｇｋの現像剤保持体に現像電圧を印加する。
Ｅ２：帯電用の電源回路
帯電用の電源回路Ｅ２は、帯電ロールＣＲｙ〜ＣＲｋに帯電電圧を印加する。
Ｅ３：転写用の電源回路
転写用の電源回路Ｅ３は、転写装置Ｔ１＋Ｔ２＋Ｂの１次転写ロールＴ１ｙ〜Ｔ１ｋおよび２次転写ロールＴ２ｂに転写電圧を印加する。
Ｅ４：定着用の電源回路
定着用の電源回路Ｅ４は、定着装置Ｆの加熱ロールＦｈの加熱部材に加熱用の電力を供給する。
【００７０】
（コントローラＣの機能）
コントローラＣは、前記信号出力要素からの入力信号に応じた処理を実行して、前記各制御要素に制御信号を出力する機能を有している。すなわち、コントローラＣは次の機能を有している。
Ｃ１：画像形成の制御手段
画像形成の制御手段Ｃ１は、スキャナ部Ｕ２から入力された画像情報に応じて、複写機Ｕの各部材の駆動や各電圧の印加時期等を制御して、画像形成動作であるジョブを実行する。
Ｃ２：駆動源の制御手段
駆動源の制御手段Ｃ２は、駆動源の駆動回路Ｄ１を介してメインモータＭ１の駆動を制御し、感光体ＰＲｙ〜ＰＲｋ等の駆動を制御する。
Ｃ３：電源回路の制御手段
電源回路の制御手段Ｃ３は、各電源回路Ｅ１〜Ｅ４を制御して、各部材へ印加される電圧や、各部材へ供給される電力を制御する。
【００７１】
Ｃ４：カバーの移動の検出手段
開閉部材の位置の検出手段の一例としてのカバーの移動の検出手段Ｃ４は、初期状態の判別手段Ｃ４Ａと、第１の半閉じ位置の判別手段Ｃ４Ｂと、第２の半閉じ位置の判別手段Ｃ４Ｃと、閉鎖位置の判別手段Ｃ４Ｄと、開放位置の判別手段Ｃ４Ｅとを有する。前記カバーの移動の検出手段Ｃ４は、カバー５１が開放位置から閉鎖位置に移動する場合に、カバー５１が、第１の半閉じ位置と、第２の半閉じ位置と、閉鎖位置と、に移動したことを検出する。また、前記カバーの移動の検出手段Ｃ４は、カバー５１が開放位置に移動したことを検出する。
【００７２】
Ｃ４Ａ：初期状態の判別手段
初期状態の判別手段Ｃ４Ａは、開閉のセンサユニット９１のセンサ８１，８６の信号が初期状態であるか否かを判別する。実施例１の初期状態の判別手段Ｃ４Ａでは、第１のセンサ８１が、移動部材７１が検出位置Ｐ２１に無いことを検出しており、且つ、第２のセンサ８６が、検出位置Ｐ２２に移動部材７１が無いことを検出している場合に、センサ８１，８６の信号が初期状態であると判別する。すなわち、実施例１では、センサ８１，８６の信号の初期状態として、第１のセンサ８１がＯＦＦであり、且つ、第２のセンサ８６がＯＦＦである場合が設定されている。なお、以降の説明においても、センサ８１，８６が移動部材７１が無いことを検出している場合、すなわち、センサ８１，８６が移動部材７１を検出していない場合を、センサ８１，８６がＯＦＦであると記載する。また、センサ８１，８６が移動部材７１を検出している場合を、センサ８１，８６がＯＮであると記載する。
【００７３】
図１０は実施例１の開閉部材が開放位置から閉鎖位置に移動する場合のセンサの信号の説明図である。
Ｃ４Ｂ：第１の半閉じ位置の判別手段
第１の半閉じ位置の判別手段Ｃ４Ｂは、センサ８１，８６の信号に基づいて、カバー５１が開放位置から閉鎖位置に向かって移動する場合に、カバー５１が第１の半閉じ位置に移動したか否かを判別する。ここで、図７、図８、図１０において、カバー５１が開放位置から閉鎖位置に向かって移動する場合に、カバー５１は、突出位置の移動部材７１に接触した後に、第１の半閉じ位置に移動する。
【００７４】
よって、カバー５１が開放位置から第１の半閉じ位置に移動する場合、移動部材７１がカバー５１に押されて突出位置から下方に移動する。そして、カバー５１が第１の半閉じ位置に移動すると、移動部材７１の第１の遮光部７６の下端７６ａが、第１の検出位置Ｐ２１に上方から進入する。したがって、第１のセンサ８１がＯＦＦからＯＮになる。このとき、第２の検出位置Ｐ２２では、第２の遮光部７７の下端７７ａが上方に保持されている。よって、第２のセンサ８６はＯＦＦのままである。したがって、実施例１の第１の半閉じ位置の判別手段Ｃ４Ｂは、第２のセンサ８６がＯＦＦであり、且つ、第１のセンサ８１がＯＦＦからＯＮに切り替わった場合に、カバー５１が開放位置から閉鎖位置に向かって移動する場合において、カバー５１が第１の半閉じ位置に移動したと判別する。
【００７５】
Ｃ４Ｃ：第２の半閉じ位置の判別手段
第２の半閉じ位置の判別手段Ｃ４Ｃは、センサ８１，８６の信号に基づいて、カバー５１が開放位置から閉鎖位置に向かって移動する場合に、カバー５１が第２の半閉じ位置に移動したか否かを判別する。ここで、図７、図８、図１０において、カバー５１が第１の半閉じ位置から第２の半閉じ位置に向かって移動する場合に、移動部材７１はカバー５１に押されて下方に移動する。そして、カバー５１が第２の半閉じ位置に移動すると、移動部材７１の第２の遮光部７７の下端７７ａが、第２の検出位置Ｐ２１に上方から進入する。したがって、第２のセンサ８６がＯＦＦからＯＮになる。このとき、第１の検出位置Ｐ２１では、第１の遮光部７６が通過している途中である。よって、第１のセンサ８１はＯＮのままである。したがって、実施例１の第２の半閉じ位置の判別手段Ｃ４Ｃは、第１のセンサ８１がＯＮであり、且つ、第２のセンサ８６がＯＦＦからＯＮに切り替わった場合に、カバー５１が開放位置から閉鎖位置に向かって移動する場合において、カバー５１が第２の半閉じ位置に移動したと判別する。
【００７６】
Ｃ４Ｄ：閉鎖位置の判別手段
閉鎖位置の判別手段Ｃ４Ｄは、センサ８１，８６の信号に基づいて、カバー５１が閉鎖位置に移動したか否かを判別する。ここで、図７、図８、図１０において、カバー５１が第２の半閉じ位置から閉鎖位置に向かって移動する場合に、移動部材７１はカバー５１に押されて下方に移動する。そして、カバー５１が閉鎖位置に移動すると、移動部材７１の第２の遮光部７７の上端７７ｂが、第２の検出位置Ｐ２１を通過して下方に移動する。したがって、第２のセンサ８６がＯＮからＯＦＦになる。このとき、第１の検出位置Ｐ２１では、既に、第１の遮光部７６が下方に通過しており、上端７６ｂが第１の検出位置Ｐ２１よりも下方に移動している。よって、第１のセンサ８１はＯＦＦのままである。したがって、実施例１の閉鎖位置の判別手段Ｃ４Ｄは、第１のセンサ８１がＯＦＦであり、且つ、第２のセンサ８６がＯＮからＯＦＦに切り替わった場合に、カバー５１が閉鎖位置に移動したと判別する。
【００７７】
Ｃ４Ｅ：開放位置の判別手段
開放位置の判別手段Ｃ４Ｅは、センサ８１，８６の信号に基づいて、カバー５１が開放位置に移動したか否かを判別する。ここで、図７、図８、図１０において、カバー５１が第１の半閉じ位置から開放位置に向かって移動する場合に、カバー５１に押されて下方に移動していた移動部材７１は、カバー５１に追従して上方に移動する。そして、移動部材７１が突出位置まで移動すると、カバー５１から離間する。この際に、移動部材７１の第１の遮光部７６の下端７６ａは、第１の検出位置Ｐ２１を下方から上方に通過する。したがって、カバー５１が第１の半閉じ位置から開放位置に移動する場合には、第１のセンサ８１はＯＮからＯＦＦになる。このとき、第２の検出位置Ｐ２２では、第２の遮光部７７が上方に保持されており、第２のセンサ８６はＯＦＦのままである。したがって、実施例１の開放位置の判別手段Ｃ４Ｅは、第２のセンサ８６がＯＦＦであり、且つ、第１のセンサ８１がＯＮからＯＦＦに切り替わった場合に、カバー５１が開放位置に移動したと判別する。
【００７８】
Ｃ５：信号の処理手段
第２の方向の原稿の検出部材の検出結果の処理手段の一例としての信号の処理手段Ｃ５は、信号の取得手段Ｃ５Ａと、閾値の記憶手段Ｃ５Ｂと、信号の判別手段Ｃ５Ｃとを有する。信号の処理手段Ｃ５は、カバー５１が開放位置から閉鎖位置に移動する場合において、カバー５１が、第１の半閉じ位置と、閉鎖位置に移動した場合における原稿のセンサ４１の検出結果、すなわち、原稿のセンサ４１の検出信号を処理する。
【００７９】
Ｃ５Ａ：信号の取得手段
信号の取得手段Ｃ５Ａは、カバー５１が開放位置から閉鎖位置に移動する場合において、カバー５１が、第１の半閉じ位置と、閉鎖位置に移動した場合に、原稿のセンサ４１の検出信号を取得する。実施例１の信号の取得手段Ｃ５Ａは、前記第１の半閉じ位置の判別手段Ｃ４Ｂがカバー５１が第１の半閉じ位置に移動したと判別した場合に、原稿のセンサ４１の検出信号を取得する。また、実施例１の信号の取得手段Ｃ５Ａは、前記閉鎖位置の判別手段Ｃ４Ｄがカバー５１が閉鎖位置に移動したと判別した場合に、原稿のセンサ４１の検出信号を取得する。
Ｃ５Ｂ：閾値の記憶手段
閾値の記憶手段Ｃ５Ｂは、原稿のセンサ４１の検出信号に基づいて判別を行うための閾値を記憶する。実施例１では、基準となる白地の原稿Ｇｉが読取ガラス３上に支持された場合と支持されていない場合とを、原稿のセンサ４１で予め検出して、それらの場合に測定された原稿のセンサ４１の検出信号に基づいて、閾値が予め設定されている。
【００８０】
Ｃ５Ｃ：信号の判別手段
信号の判別手段Ｃ５Ｃは、原稿のセンサの４１の検出信号の出力値が、閾値の記憶手段に記憶された閾値に比べて大きいか否かを判別する。実施例１の信号の判別手段Ｃ５Ｃは、信号の取得手段Ｃ５Ａが検出信号を取得する度に、原稿のセンサ４１の検出信号の出力値が、閾値に比べて大きいか否かを判別する。したがって、実施例１では、原稿のセンサ４１の検出信号の出力値が閾値以上と判別された場合には、検出位置Ｐ１２に白地の原稿Ｇｉが支持されているものと判別される。また、実施例１では、原稿のセンサ４１の検出信号の出力値が閾値未満と判別された場合には、検出位置Ｐ１２に白地の原稿Ｇｉが支持されていないものと判別される。
【００８１】
Ｃ６：読取動作の判別手段
読取動作の判別手段Ｃ６は、実行される読取動作が「手動の読取動作」または「自動の読取動作」のいずれであるかを判別する。実施例１の読取動作の判別手段Ｃ６は、スタートボタンＵ０３の入力時に、オートフィーダＵ３のセンサＳＮ１が原稿Ｇｉを検出していない場合には、「手動の読取動作」を実行するものと判別する。また、実施例１の読取動作の判別手段Ｃ６は、スタートボタンＵ０３の入力時に、前記センサＳＮ１が原稿Ｇｉを検出している場合には、「自動の読取動作」を実行するものと判別する。
【００８２】
Ｃ７：ユニットの制御手段
読取ユニットの制御手段の一例としてのユニットの制御手段Ｃ７は、ユニットの位置の判別手段Ｃ７Ａと、移動の制御手段Ｃ７Ｂと、ランプの制御手段Ｃ７Ｃ、画像の読取手段Ｃ７Ｄとを有する。ユニットの制御手段Ｃ７は、読取ユニットＵ２ａを制御して、原稿Ｇｉから画像を読み取る。
【００８３】
Ｃ７Ａ：ユニットの位置の判別手段
ユニットの位置の判別手段Ｃ７Ａは、ユニットセンサ３７，３８の検出信号に基づいて、読取ユニットＵ２ａの位置を判別する。実施例１のユニットの位置の判別手段Ｃ７Ａは、第１のユニットセンサ３７が読取ユニットＵ２ａを検出した場合に、読取ユニットＵ２ａが初期位置に移動したと判別する。また、実施例１のユニットの位置の判別手段Ｃ７Ａは、第２のユニットセンサ３８が読取ユニットＵ２ａを検出した場合に、読取ユニットＵ２ａが自動の原稿の読取位置に移動したと判別する。
【００８４】
Ｃ７Ｂ：移動の制御手段
移動の制御手段Ｃ７Ｂは、ユニットの駆動回路Ｄ３を介してモータ３６を制御し、読取ユニットＵ２ａをプラテンガラスＰＧの下面に沿って左右方向に移動させる。実施例１の移動の制御手段Ｃ７Ｂは、複写機Ｕの電源投入時と、省電力動作時からの復帰時とに、読取ユニットＵ２ａが初期位置に移動していない場合には、読取ユニットＵ２ａを初期位置に移動させる。すなわち、実施例１では、複写機Ｕの電源投入時と、省電力動作時からの復帰時とに、読取ユニットＵ２ａの位置が初期化される。
【００８５】
また、実施例１の移動の制御手段Ｃ７Ｂは、「手動の読取動作」が実行される場合には、読取ユニットＵ２ａを初期位置から距離Ｌ２だけ左方に移動させて、読取ユニットＵ２ａの読取位置Ｐ１１が原稿の揃え部１１の右端の縁の位置に移動する開始位置まで移動させる。そして、実施例１の移動の制御手段Ｃ７Ｂは、読取ユニットＵ２ａを原稿のサイズに基づいた距離だけ右方に、予め設定された速度で移動させる。その後、実施例１の移動の制御手段Ｃ７Ｂは、読取ユニットＵ２ａを初期位置に移動させる。さらに、実施例１の移動の制御手段Ｃ７Ｂは、「自動の読取動作」が実行される場合には、読取ユニットＵ２ａを初期位置から自動の原稿の読取位置に移動させる。そして、実施例１の移動の制御手段Ｃ７Ｂは、「自動の読取動作」が終了した場合には、読取ユニットＵ２ａを初期位置に移動させる。
【００８６】
Ｃ７Ｃ：ランプの制御手段
光源の制御手段の一例としてのランプの制御手段Ｃ７Ｃは、開閉時の点灯手段Ｃ７Ｃ１と、ジョブ時の点灯手段Ｃ７Ｃ２とを有する。ランプの制御手段Ｃ７Ｃは、蛍光ランプ２１の点灯、消灯を制御する。
Ｃ７Ｃ１：開閉時の点灯手段
開閉時の光源の制御手段の一例としての開閉時の点灯手段Ｃ７Ｃ１は、カバー５１が開放位置と閉鎖位置との間を移動する際に、蛍光ランプ２１の点灯、消灯を制御する。実施例１の開閉時の点灯手段Ｃ７Ｃ１は、第１の半閉じ位置の判別手段Ｃ４Ｂが、カバー５１が第１の半閉じ位置に移動したと判別した場合に、蛍光ランプ２１を点灯させて光を照射させる。また、実施例１の開閉時の点灯手段Ｃ７Ｃ１は、閉鎖位置の判別手段Ｃ４Ｄがカバー５１が閉鎖位置に移動したと判別した場合には、閉鎖位置の判別手段Ｃ４Ｄが判別してから予め設定された時間が経過した後に、蛍光ランプ２１を消灯させる。実施例１では、閉鎖位置における撮像部材ＣＣＤの読み取り時間に対応して前記時間が設定されており、撮像部材ＣＣＤの読み取りが終了した場合に、蛍光ランプ２１が消灯される。なお、実施例１のカバー５１は、開放位置から第１の半閉じ位置に移動した後で、閉鎖位置に移動せずに、開放位置に移動する場合がある。よって、実施例１の開閉時の点灯手段Ｃ７Ｃ１は、前記開放位置の判別手段Ｃ４Ｅが、カバー５１が開放位置に移動したと判別した場合には、蛍光ランプ２１を消灯させる。
【００８７】
Ｃ７Ｃ２：ジョブ時の点灯手段
画像形成動作を実行する場合の光源の制御手段の一例としてのジョブ時の点灯手段Ｃ７Ｃ２は、スタートボタンＵ０３が入力されてジョブが開始される場合において、蛍光ランプ２１の点灯、消灯を制御する。実施例１のジョブ時の点灯手段Ｃ７Ｃ２は、「手動の読取動作」または「自動の読取動作」が実行される場合に、蛍光ランプ２１を点灯し、前記読取動作が終了した場合に、蛍光ランプ２１を消灯させる。なお、ジョブ時の点灯手段Ｃ７Ｃ２が、蛍光ランプ２１の点灯、消灯を制御する構成は、従来公知の制御が適用可能なので詳細な説明は省略する。
【００８８】
Ｃ７Ｄ：画像の読取手段
画像の読取手段Ｃ７Ｄは、開閉時の読取手段Ｃ７Ｄ１と、ジョブ時の読取手段Ｃ７Ｄ２とを有する。画像の読取手段Ｃ７Ｄは、撮像部材ＣＣＤを介して原稿Ｇｉの画像を読み取る。具体的には、実施例１の画像の読取手段Ｃ７Ｄでは、原稿Ｇｉからの反射光などを受光して撮像部材ＣＣＤが出力する信号に基づいて、原稿Ｇｉの画像を読み取る。
【００８９】
Ｃ７Ｄ１：開閉時の読取手段
開閉時の読取手段Ｃ７Ｄ１は、カバー５１が開放位置から閉鎖位置に移動する場合において、カバー５１が、第２の半閉じ位置と、閉鎖位置に移動した場合に、原稿Ｇｉの画像を読み取る。実施例１の開閉時の読取手段Ｃ７Ｄ１は、前記第２の半閉じ位置の判別手段Ｃ４Ｃがカバー５１が第２の半閉じ位置に移動したと判別した場合に、撮像部材ＣＣＤからの信号に基づいて画像を読み取る。また、実施例１の開閉時の手段Ｃ７Ｄ１は、前記閉鎖位置の判別手段Ｃ４Ｄがカバー５１が閉鎖位置に移動したと判別した場合に、撮像部材ＣＣＤからの信号に基づいて画像を読み取る。なお、開閉時の読取手段Ｃ７Ｄ１で読み取られる画像は、読取ユニットＵ２ａが初期位置に移動している場合の読取位置Ｐ１１を前後方向に延びる線状の画像である。
【００９０】
Ｃ７Ｄ２：ジョブ時の読取手段
画像形成動作を実行する場合の画像の読取手段の一例ジョブ時の読取手段Ｃ７Ｄ２は、スタートボタンＵ０３が入力されてジョブが開始される場合において、原稿Ｇｉの画像を読み取る。実施例１のジョブ時の読取手段Ｃ７Ｄ２は、「手動の読取動作」の場合には、撮像部材ＣＣＤからの信号を読取ユニットＵ２ａの移動速度などに基づいて処理して、原稿Ｇｉの画像を読み取る。また、実施例１のジョブ時の読取手段Ｃ７Ｄ２は、「自動の読取動作」の場合には、撮像部材ＣＣＤからの信号を原稿の搬送速度などに基づいて処理して、原稿Ｇｉの画像を読み取る。なお、ジョブ時の読取手段Ｃ７Ｄ２が、撮像部材ＣＣＤからの信号に基づいて、原稿Ｇｉの画像を読み取る処理は、従来公知であるため詳細な説明は省略する。
【００９１】
Ｃ８：オートフィーダの制御手段
原稿の搬送装置の制御手段の一例としてのオートフィーダの制御手段Ｃ８は、「自動の読取動作」を実行する場合に、オートフィーダの駆動回路Ｄ２を介してモータＭ２を制御する。すなわち、オートフィーダの制御手段Ｃ８は、オートフィーダＵ３に支持された原稿の搬送ロールＵ３ｂの駆動、停止を制御する。なお、オートフィーダＵ３で原稿Ｇｉを自動で搬送する制御は従来公知であり、例えば、特開２０１２−０３９３１６号公報に記載されている構成を適用可能であるため、オートフィーダの制御手段Ｃ８に関する詳細な説明は省略する。
【００９２】
Ｃ９：開閉時のサイズの検出手段
開閉部材の開閉時に媒体の大きさを検出する手段の一例としての開閉時のサイズの検出手段Ｃ９は、差分の演算手段Ｃ９Ａと、端の判別手段Ｃ９Ｂと、変化の判別手段Ｃ９Ｃと、規格サイズの記憶手段Ｃ９Ｄと、サイズの判別手段Ｃ９Ｅとを有する。開閉時のサイズの検出手段Ｃ９は、第１の半閉じ位置と閉鎖位置との原稿のセンサ４１の検出結果と、第２の半閉じ位置と閉鎖位置との撮像部材ＣＣＤの読取結果とに基づいて、原稿Ｇｉの大きさを検出する。
【００９３】
図１１は実施例１の原稿が支持されている場合の読取部材の信号の出力値に関する説明図であり、図１１Ａは開閉部材が第２の半閉じ位置に移動した場合の説明図、図１１Ｂは開閉部材が閉鎖位置に移動した場合の説明図、図１１Ｃは出力値の差分の説明図である。
Ｃ９Ａ：差分の演算手段
第１の比較手段の一例としての差分の演算手段Ｃ９Ａは、比較の一例として、第２の半閉じ位置の撮像部材ＣＣＤの読取結果と、閉鎖位置の撮像部材ＣＣＤの読取結果との差分を演算する。実施例１の差分の演算手段Ｃ９Ａは、撮像部材ＣＣＤの読取結果の一例として、開閉時の読取手段Ｃ７Ｄ１が読み取った画像に基づいて、差分を演算する。ここで、開閉時の読取手段Ｃ７Ｄ１が読み取った画像は、撮像部材ＣＣＤからの信号に基づいており、図１１Ａ、図１１Ｂに示すように、撮像部材ＣＣＤの撮像素子が配列される方向に沿って画像の濃淡を特定可能な値を有している。したがって、実施例１の差分の演算手段Ｃ９Ａでは、図１１Ｃに示すように、前後方向の位置毎に、閉鎖位置の画像の値から、第２の半閉じ位置の画像の値を引いて、差分を演算する。
【００９４】
Ｃ９Ｂ：端の判別手段
端の判別手段Ｃ９Ｂは、差分の演算手段Ｃ９Ａで演算された差分に基づいて、基準位置に合せて読取ガラス３上に支持された原稿Ｇｉの前端を判別する。
ここで、カバー５１が第２の半閉じ位置に移動している場合において、原稿Ｇｉが基準位置に合せて読取ガラス３上に配置されている場合、蛍光ランプ２１から光が照射されると、照射された光は原稿Ｇｉで反射されて撮像部材ＣＣＤに受光される。一方で、原稿Ｇｉが無い部分では、照射された光は反射されずに、撮像部材ＣＣＤで受光され難い。よって、原稿Ｇｉの部分と、原稿Ｇｉの無い部分とでは、撮像部材ＣＣＤに受光される光の量が大きく異なり、画像の値に差が生じ易い。したがって、画像の値の変化が大きい位置を検出すれば、前後方向における原稿Ｇｉの端の位置を検出することができる。
【００９５】
しかしながら、例えば、原稿Ｇｉの端部に黒色の画像が記録されている場合、原稿Ｇｉの端部で反射される光の量は減る。よって、撮像部材ＣＣＤで受光される光の量が減り、原稿Ｇｉの端部と、原稿Ｇｉの無い部分との区別が困難になる場合がある。すなわち、原稿Ｇｉの端の位置を誤検出してしまう恐れがある。よって、第２の半閉じ位置の画像にのみ基づいて、原稿Ｇｉの端を検出しようとしても検出精度は落ちる。
これに対して、第２の半閉じ位置で読み取られた画像と、閉鎖位置で読み取られた画像では、図１１Ａ、図１１Ｂに示すように、原稿Ｇｉの部分では、画像の値は殆ど変化しない。よって、差分を取ると、原稿Ｇｉに記録された画像などの影響を打ち消すことができる。
【００９６】
そこで、実施例１の端の判別手段Ｃ９Ｂは、差分の演算手段Ｃ９Ａが演算した差分について、前後方向の位置毎に、予め設定された閾値εに比べて小さいか否かを判別する。そして、実施例１の端の判別手段Ｃ９Ｂは、閾値εに比べて小さい場合には、その位置には原稿Ｇｉがあると判別し、閾値εに比べて大きい場合にはその位置には原稿Ｇｉが無いと判別する。これにより、実施例１では、原稿Ｇｉの前端の位置が検出される。
【００９７】
図１２は実施例１の信号の処理手段が処理した結果の説明図である。
Ｃ９Ｃ：変化の判別手段
第２の比較手段の一例としての変化の判別手段Ｃ９Ｃは、比較の一例として、第１の半閉じ位置の原稿のセンサ４１の検出結果と、閉鎖位置の原稿のセンサ４１の検出結果との間に変化があるか否かを判別する。実施例１の変化の判別手段Ｃ９Ｃは、原稿のセンサ４１の検出結果の一例として、信号の処理手段Ｃ５が処理した結果に基づいて、変化があるか否かを判別する。
ここで、図１２において、信号の処理手段Ｃ５では、原稿のセンサ４１の信号の出力値が閾値以上か否かを判別している。一般に、カバー５１が第１の半閉じ位置に移動している場合には、白地の原稿Ｇｉと、原稿Ｇｉが無い場合との、原稿のセンサ４１が受光する光の量の違いから、原稿Ｇｉの有無は検出可能である。
【００９８】
しかしながら、読取ガラス３上の検出位置Ｐ１２に、黒地の原稿Ｇｉや、光を反射し難い材質の原稿Ｇｉなどが支持されている場合、原稿のセンサ４１の発光部４２から光が発せられても、原稿Ｇｉで反射される光の量が減ったりして、白地の原稿Ｇｉに比べて、受光部４３で受光される光の量が少なくなる場合がある。よって、原稿Ｇｉが支持されているにも関わらず、原稿のセンサ４１の検出信号の出力値が、閾値を下回ってしまう恐れがある。すなわち、原稿のセンサ４１の検出信号の出力値を閾値と比較するだけでは、原稿Ｇｉの有無を精度良く判別できない。
【００９９】
これに対して、検出位置Ｐ１２に原稿Ｇｉが有る場合には、第１の半閉じ位置で検出されて処理された結果と、閉鎖位置で検出されて処理された結果とでは、図１２に示すように、閾値に対する出力値の大小自体は変化しない。一方で、検出位置Ｐ１２に原稿Ｇｉが無い場合には、第１の半閉じ位置では、受光部４３が光を受光し難く、出力値は閾値未満となる。また、閉鎖位置では、カバー５１の押さえ板５４で反射された光が受光部４３に受光され易く、出力値が閾値以上となる。よって、検出位置Ｐ１２に原稿Ｇｉが無い場合には、カバー５１が第１の半閉じ位置から閉鎖位置に移動する場合に、出力値が、閾値未満から閾値以上に変化する。
【０１００】
したがって、実施例１では、変化の判別手段Ｃ９Ｃで変化がないと判別された場合には、原稿Ｇｉが検出位置Ｐ１２に有ることが検出される。また、実施例１では、変化の判別手段Ｃ９Ｃで変化があると判別された場合には、原稿Ｇｉが検出位置Ｐ１２に無いことが検出される。これにより、原稿Ｇｉが基準位置に合せて読取ガラス３上に配置された場合に、原稿Ｇｉが検出位置Ｐ１２に有ることが検出された場合には、原稿Ｇｉが左右方向に長さＬ２を有すると判別される。
【０１０１】
図１３は実施例１の規格サイズの記憶手段が記憶している情報の説明図である。
Ｃ９Ｄ：規格サイズの記憶手段
予め設定された大きさの媒体に関する情報を記憶する手段の一例としての規格サイズの記憶手段Ｃ９Ｄは、予め設定された大きさの媒体の一例としての規格サイズの原稿Ｇｉに関する情報を記憶する。図１３において、実施例１の規格サイズの記憶手段Ｃ９Ｄは、複写機Ｕの構成に応じて予め選定された規格サイズ毎に、基準位置の原稿Ｇｉの前端の位置とＬ２の長さを有するか否かとを対応付けた情報が記憶されている。
【０１０２】
Ｃ９Ｅ：サイズの判別手段
媒体の大きさの判別手段の一例として、サイズの判別手段Ｃ９Ｅは、端の判別手段Ｃ９Ｂの判別結果と、変化の判別手段Ｃ９Ｃの判別結果と、規格サイズの記憶手段Ｃ９Ｄに記憶された記憶情報に基づいて、原稿Ｇｉのサイズを判別する。具体的には、実施例１のサイズ判別手段Ｃ９Ｅでは、端の判別手段Ｃ９Ｂが判別することで検出される前端の位置と、変化の判別手段Ｃ９Ｃが判別することで判別される長さＬ２を有するか否かとの情報を取得する。そして、サイズの判別手段Ｃ９Ｅは、前端の位置と長さＬ２を有するか否かの組み合わせに対応する規格サイズの原稿Ｇｉを、規格サイズの記憶手段Ｃ９Ｄに記憶された記憶情報を参照して判別する。
これにより、開閉時のサイズの検出手段Ｃ９では、基準位置に合せて読取ガラス３上に支持された原稿Ｇｉのサイズが検出される。
【０１０３】
Ｃ１０：オートフィーダのサイズの検出手段
原稿の搬送装置を使用時に媒体の大きさを検出する手段の一例としてのオートフィーダのサイズの検出手段Ｃ１０は、原稿の搬送ロールＵ３ｂの搬送速度や、撮像部材ＣＣＤの読取結果に基づいて、原稿Ｇｉのサイズを検出する。なお、このような、オートフィーダＵ３を使用する場合に原稿Ｇｉのサイズを検出する技術は、従来公知であり、例えば、特開２０１２−０３９３１６号公報に記載されている。よって、オートフィーダのサイズの検出手段Ｃ１０の詳細な説明は省略する。
【０１０４】
（実施例１の流れ図の説明）
次に、実施例１の複写機Ｕにおける制御の流れを流れ図、いわゆるフローチャートを使用して説明する。
【０１０５】
（実施例１の開閉時のサイズの検出処理のフローチャートの説明）
図１４は実施例１の開閉時のサイズの検出処理のフローチャートの説明図である。
図１５は開閉時のサイズの検出処理のフローチャートの説明図であり、図１４の続きのフローチャートの説明図である。
図１４、図１５のフローチャートの各ステップＳＴの処理は、前記複写機ＵのコントローラＣに記憶されたプログラムに従って行われる。また、この処理は複写機Ｕの他の各種処理と並行して実行される。なお、読取ユニットＵ２ａの「手動の読取動作」や「自動の読取動作」の処理や、画像形成の動作の処理、オートフィーダＵ３の動作の処理は、従来公知の構成を適用可能であるため説明は省略する。
【０１０６】
図１４、図１５に示すフローチャートは複写機Ｕの電源投入により開始される。
図１４のＳＴ１において、開閉用のセンサユニット９１の第１のセンサ８１がＯＦＦであるか否かを判別する。イエス（Ｙ）場合はＳＴ２に進み、ノー（Ｎ）の場合はＳＴ１を繰り返す。
ＳＴ２において、開閉用のセンサユニット９１の第２のセンサ８６がＯＦＦであるか否かを判別する。イエス（Ｙ）場合はＳＴ３に進み、ノー（Ｎ）の場合はＳＴ１に戻る。
ＳＴ３において、第１のセンサ８１がＯＮであるか否かを判別する。イエス（Ｙ）の場合は図１５に示すＳＴ１１に進み、ノー（Ｎ）の場合はＳＴ４に進む。
【０１０７】
ＳＴ４において、第２のセンサ８６がＯＮであるか否かを判別する。イエス（Ｙ）の場合はＳＴ５に進み、ノー（Ｎ）の場合はＳＴ３に戻る。
ＳＴ５において、第１のセンサ８１がＯＮであるか否かを判別する。イエス（Ｙ）の場合はＳＴ６に進み、ノー（Ｎ）の場合はＳＴ８に進む。
ＳＴ６において、第２のセンサ８６がＯＦＦであるか否かを判別する。イエス（Ｙ）の場合はＳＴ７に進み、ノー（Ｎ）の場合はＳＴ９に進む。
ＳＴ７において、第１のセンサ８１がＯＦＦであるか否かを判別する。イエス（Ｙ）の場合はＳＴ３に戻り、ノー（Ｎ）の場合はＳＴ１０に進む。
【０１０８】
ＳＴ８において、第２のセンサ８６がＯＦＦであるか否かを判別する。イエス（Ｙ）の場合はＳＴ３に戻り、ノー（Ｎ）の場合はＳＴ５に戻る。
ＳＴ９において、第１のセンサ８１がＯＦＦであるか否かを判別する。イエス（Ｙ）の場合はＳＴ５に戻り、ノー（Ｎ）の場合はＳＴ６に戻る。
ＳＴ１０において、第２のセンサ８６がＯＮであるか否かを判別する。イエス（Ｙ）の場合はＳＴ６に戻り、ノー（Ｎ）の場合はＳＴ７に戻る。
【０１０９】
図１５のＳＴ１１において、原稿のセンサ４１の検出結果を取得する。すなわち、閾値以上か閾値未満であるかを取得する。そして、ＳＴ１２に進む。
ＳＴ１２において、蛍光ランプ２１を点灯する。そして、ＳＴ１３に進む。
ＳＴ１３において、第２のセンサ８６がＯＮであるか否かを判別する。イエス（Ｙ）の場合はＳＴ１４に進み、ノー（Ｎ）の場合はＳＴ２２に進む。
ＳＴ１４において、撮像部材ＣＣＤで画像を読み取る。そして、ＳＴ１５に進む。
ＳＴ１５において、第１のセンサ８１がＯＦＦであるか否かを判別する。イエス（Ｙ）の場合はＳＴ１６に進み、ノー（Ｎ）の場合はＳＴ２４に進む。
【０１１０】
ＳＴ１６において、第２のセンサ８６がＯＦＦであるか否かを判別する。イエス（Ｙ）の場合はＳＴ１７に進み、ノー（Ｎ）の場合はＳＴ２５に進む。
ＳＴ１７において、次の（１）、（２）の処理を実行する。そして、ＳＴ１８に進む。
（１）原稿のセンサ４１の検出結果を取得する。
（２）撮像部材ＣＣＤで画像を読み取る。
ＳＴ１８において、蛍光ランプ２１を消灯する。そして、ＳＴ１９に進む。
ＳＴ１９において、撮像部材ＣＣＤの読取結果の差分を演算する。そして、ＳＴ２０に進む。
ＳＴ２０において、次の（１）、（２）の処理を実行する。そして、ＳＴ２１に進む。
（１）撮像部材ＣＣＤの読取結果の差分について、前後方向の位置毎に、画像の値が閾値εに比べて小さいか否かを判別して、原稿Ｇｉの前端の位置を検出する。
（２）原稿のセンサ４１の検出結果について、閾値に対する大小の変化の有無を判別して、原稿Ｇｉの長さが、長さＬ２よりも大きいか否かを判別する。
【０１１１】
ＳＴ２１において、原稿Ｇｉの前端の位置と、原稿Ｇｉが長さＬ２よりも大きいか否かに基づいて、原稿Ｇｉのサイズを検出する。そして、ＳＴ１に戻る。
ＳＴ２２において、第１のセンサ８１がＯＦＦであるか否かを判別する。イエス（Ｙ）の場合はＳＴ２３に進み、ノー（Ｎ）の場合はＳＴ１３に戻る。
ＳＴ２３において、蛍光ランプ２１を消灯する。そして、図１４に示すＳＴ３に戻る。
ＳＴ２４において、第２のセンサ８６がＯＦＦであるか否かを判別する。イエス（Ｙ）の場合はＳＴ１３に戻り、ノー（Ｎ）の場合はＳＴ１５に戻る。
ＳＴ２５において、第１のセンサ８１がＯＮであるか否かを判別する。イエス（Ｙ）の場合はＳＴ１５に戻り、ノー（Ｎ）の場合はＳＴ１６に戻る。
【０１１２】
（実施例１の開閉時のサイズの検出処理の機能）
前記構成を備えた実施例１の複写機Ｕでは、電源が投入されると、実施例１の開閉時のサイズの検出処理が実行される。原稿Ｇｉが読取ガラス３上に置かれる場合、カバー５１が閉鎖位置から開放位置に移動される。このとき、ＳＴ４〜ＳＴ７の処理がされて、カバー５１が開放位置に移動したことが検出される。開放位置では、読取ガラス３上に原稿Ｇｉを置くことが可能となる。カバー５１が開放位置から第１の半閉じ位置に移動されると、移動部材７１の第１の遮光部７６の下端７６ａが第１の検出位置Ｐ２１に進入する。よって、第１のセンサ８１がＯＦＦからＯＮに切り替わる。したがって、ＳＴ３，ＳＴ１１の処理がされて、第１の半閉じ位置において、原稿のセンサ４１が読取ガラス３上の検出位置Ｐ１２を検出する。
【０１１３】
なお、第１の半閉じ位置では、ＳＴ１２の処理がされて、蛍光ランプ２１が点灯される。そして、カバー５１が第１の半閉じ位置から第２の半閉じ位置に移動されると、移動部材７１の第２の遮光部７７の下端７７ａが第２の検出位置Ｐ２２に進入する。よって、第２のセンサ８６がＯＦＦからＯＮに切り替わる。したがって、ＳＴ１３，ＳＴ１４の処理がされて、第２の半閉じ位置において、撮像部材ＣＣＤが、初期位置の読取ユニットＵ２ａの読取位置Ｐ１１における画像を読み取る。さらに、カバー５１が第２の半閉じ位置から閉鎖位置に移動されると、移動部材７１の第２の遮光部７７の上端７７ｂが第２の検出位置Ｐ２２を通過して下方に移動する。よって、第２のセンサ８６がＯＮからＯＦＦに切り替わる。したがって、ＳＴ１６，ＳＴ１７の処理がされて、閉鎖位置において、撮像部材ＣＣＤが、初期位置の読取ユニットＵ２ａの読取位置Ｐ１１における画像を読み取ると共に、原稿のセンサ４１が読取ガラス３上の検出位置Ｐ１２を検出する。なお、撮像部材ＣＣＤの画像の読み取りが終了すると、ＳＴ１８の処理がされて、蛍光ランプ２１が消灯される。
【０１１４】
閉鎖位置において、撮像部材ＣＣＤの画像の読み取りや、原稿のセンサ４１の検出が終了すると、ＳＴ１９〜ＳＴ２１の処理がされる。よって、撮像部材ＣＣＤの読取結果については、第２の半閉じ位置と閉鎖位置との読取結果の差分に基づいて、原稿Ｇｉの前端の位置が検出される。また、原稿のセンサ４１の検出結果については、第１の半閉じ位置と閉鎖位置との検出結果の変化の有無が判別されて、原稿Ｇｉが長さＬ２よりも大きいか否かが判別される。そして、原稿Ｇｉの前端の位置の情報と、原稿Ｇｉが長さＬ２よりも大きいか否かの情報とに基づいて、原稿Ｇｉのサイズが検出される。
なお、実施例１では、カバー５１が開放位置から閉鎖位置に移動する途中で開放位置側に戻る場合がある。よって、実施例１の開閉時のサイズの検出処理では、カバー５１が開放位置側に戻って、第１の半閉じ位置や第２の半閉じ位置に移動したと判別された場合には、改めて、原稿のセンサ４１や撮像部材ＣＣＤで検出や読み取りを行う。すなわち、原稿のセンサ４１の検出結果や撮像部材ＣＣＤの読取結果は最新の情報が使用される。また、蛍光ランプ２１が点灯した後に、カバー５１が開放位置に向けて移動した場合には、ＳＴ２３の処理がされて、蛍光ランプ２１が消灯される。
【０１１５】
次に、スタートボタンＵ０３が入力されると、オートフィーダＵ３のセンサＳＮ１が原稿Ｇｉを検出していない場合には、「手動の読取動作」が実行される。よって、実施例１では、開閉時の原稿のサイズの検出処理で検出された原稿Ｇｉのサイズに基づいて、読取ユニットＵ２ａが移動する。すなわち、読取ユニットＵ２ａが、開始位置から原稿の右端に対応する位置まで読取ガラス３の下面に沿って移動し、撮像部材ＣＣＤが読取ガラス３に支持された原稿Ｇｉから画像を読み取る。よって、実施例１では、読取ユニットＵ２ａが原稿のサイズに関わらず、開始位置から読取ガラス３の右端まで移動する場合に比べて、読取動作が早く終わる。なお、スタートボタンＵ０３が入力された場合に、オートフィーダＵ３のセンサＳＮ１が原稿Ｇｉを検出している場合には、「自動の読取動作」が実行される。よって、この場合には、読取ユニットＵ２ａが自動の原稿の読取位置に移動して、読取ユニットＵ２ａがオートフィーダＵ３で搬送される原稿Ｇｉから画像を読み取る。
原稿Ｇｉから画像が読み取られると、原稿Ｇｉのサイズなどに基づいて、給紙トレイＴＲ１〜ＴＲ３が選択されて、シートＳが給紙され、シートＳに画像が記録される。
【０１１６】
ここで、画像の読取装置、いわゆる、スキャナでは、特許文献１，２に記載されているように撮像部材を固定し且つ光源や光学系を走査させる構成と、特開２００９―２３２２７９号公報に記載されているように撮像部材を、光源や光学系ごと一体的に走査させる構成と、が知られている。
一般に、撮像部材ＣＣＤは、読取可能な最大の画像に比べて小さく構成されている。よって、撮像部材ＣＣＤが読取位置Ｐ１１の画像を読み取る場合には、レンズを介して読取位置Ｐ１１の画像を縮小して読み取っている。このとき、レンズの収差を低減するためには、レンズに対する画角が小さい方が望ましく、読取位置Ｐ１１からレンズまでの光路長を確保する必要が生じる。したがって、撮像部材ＣＣＤを用いて画像を読み取る場合、ミラーを介して光路長を確保しつつ、レンズを介して画像を縮小して画像を読み取っている。
【０１１７】
よって、撮像部材ＣＣＤも移動させる構成においては、一般には、ミラーなどを減らしたりすることが困難で、光学系も一緒にユニット化する必要がある。このとき、ミラーなどはユニット内で間隔を空けて配置されるため、ユニット全体が大型化し易くて、ユニットの通過する領域が拡大する。したがって、撮像部材ＣＣＤも移動する構成において、仮に、原稿のセンサ４１を、撮像部材ＣＣＤが固定され且つ移動する部材の大きさが比較的小さい場合と同様の距離だけ、読取ガラス３から離間させて配置したとすると、原稿のセンサ４１の位置が、読取ユニットＵ２ａが通過する領域の内側になってしまう。したがって、原稿のセンサ４１が、読取ユニットＵ２ａと干渉して、読取ユニットＵ２ａが読取ガラス３の下面全体に沿って移動できなくなってしまう。よって、実施例１では、原稿のセンサ４１は、読取ユニットＵ２ａが通過する空間のさらに下方に配置されて、撮像部材ＣＣＤが固定された特許文献１，２に記載の従来の構成に比べて、読取ガラス３から離間した位置に配置されている。
【０１１８】
図１６は半閉じ位置と外光の従来の構成の説明図であり、図１６Ａは従来の半閉じ位置の説明図、図１６Ｂは従来の半閉じ位置から更に開放された位置を半閉じ位置と設定した場合の説明図、図１６Ｃは図１６Ｂにおいて原稿が配置された場合の説明図である。
ここで、特許文献１，２に記載の従来の原稿のセンサ４１では、原稿のセンサ４１から読取ガラス３までの距離において、原稿Ｇｉを検出する感度が高く設定されている。したがって、従来と同様のセンサを、離間した場合の原稿のセンサ４１としてそのまま使用すると、検出精度は悪化する。すなわち、原稿のセンサ４１から原稿Ｇｉまでの距離が長くなると、その距離は、従来、半閉じ位置の押さえ板５４を検出していた距離に近づき、原稿のセンサ４１の感度は悪くなる。よって、従来と同様のセンサを原稿のセンサ４１としてそのまま使用する場合、感度の悪い距離で原稿Ｇｉを検出することになって、半閉じ位置の押さえ板５４を区別し難く、図１６Ａに示すように、半閉じ位置の押さえ板５４と原稿Ｇｉとを誤検出する恐れがあった。
【０１１９】
そこで、長い検出距離に対応した感度を有するセンサに、原稿のセンサ４１を置き換えることが考えられる。しかしながら、この場合には、原稿のセンサ４１を作り替える必要が生じ、特注品となって既製の汎用品を使用できず、費用が嵩み易い。
また、従来と同様のセンサを原稿のセンサ４１としてそのまま使用して、原稿のセンサ４１が、半閉じ位置の押さえ板５４と原稿Ｇｉを検出する場合の出力値の差を大きくして、原稿のセンサ４１の誤検出を減らす構成も考えられる。すなわち、カバー５１の半閉じ位置を、押さえ板５４が原稿のセンサ４１から更に離間する位置に設定することが考えられる。
【０１２０】
しかしながら、従来から撮像部材ＣＣＤでは、差分を利用して原稿の端の位置を検出している。すなわち、原稿Ｇｉの部分では、カバー５１の位置に関わらず読取ガラス３上の原稿Ｇｉから反射される光の量が変化し難い。そこで、原稿Ｇｉが無い部分では、閉鎖位置における押さえ板５４から反射される光の量の多さと、半閉じ位置における撮像部材ＣＣＤに入射する光の量の少なさとの差を利用して、原稿Ｇｉの前端の位置を検出していた。よって、原稿のセンサ４１の検出と撮像部材ＣＣＤの読取が行われる半閉じ位置では、カバー５１が外光を遮って撮像部材ＣＣＤに入射する外光が少ない位置が半閉じ位置として設定されていた。すなわち、この位置に半閉じ位置が設定されることで、半閉じ位置の撮像部材ＣＣＤでは、原稿Ｇｉの無い部分で、撮像部材ＣＣＤに蛍光ランプ２１からの光が検出され難くし、且つ、外光が検出され難くしていた。
【０１２１】
したがって、図１６Ｂ、図１６Ｃにおいて、押さえ板５４を原稿のセンサ４１から離間させてカバー５１を更に開放させてしまうと、半閉じ位置では、原稿Ｇｉの無い部分でも、撮像部材ＣＣＤに外光が入射し易くなって、撮像部材ＣＣＤに入射する光の量が多くなる。よって、半閉じ位置と閉鎖位置とで撮像部材ＣＣＤが受光する光の量が変化し難い場合があり、実際には原稿Ｇｉは無いのに、原稿Ｇｉが有ると誤判別される恐れがあった。
また、図１６Ｃにおいて、外光が原稿Ｇｉの前端部の下方に斜めに入射する場合があって、撮像部材ＣＣＤでは、原稿Ｇｉから反射された光が受光される位置で外光が受光される場合もある。よって、この場合には、半閉じ位置では、原稿Ｇｉから反射された光に外光が加わってしまい、原稿Ｇｉから反射された光だけの場合に比べて大きな光量を検出してしまう。したがって、原稿Ｇｉが有るにも関わらず、半閉じ位置と閉鎖位置とで受光される光量の差が大きくなってしまい、原稿Ｇｉが無いと誤判別されてしまう場合もあった。
よって、カバー５１の半閉じ位置を、単純に、押さえ板５４が原稿のセンサ４１から更に離間する位置に設定するだけでは、原稿Ｇｉの前端の位置が誤検出されてしまう。
【０１２２】
これに対して、実施例１では、カバー５１の半閉じ位置を、第１の半閉じ位置と、第２の半閉じ位置との複数の位置に分けて検出して、原稿のサイズを検出している。すなわち、カバー５１が原稿のセンサ４１に入射する外光を遮断して原稿のセンサ４１に入射する外光を少なくし且つ押さえ板５４が原稿のセンサ４１に検出されない第１の半閉じ位置では、原稿のセンサ４１の１度目の検出のみを行い、撮像部材ＣＣＤの読み取りは行わない。また、カバー５１が撮像部材ＣＣＤに入射する外光を遮断して撮像部材ＣＣＤに入射する外光を少なくし且つ押さえ板５４が原稿のセンサ４１に検出される第２の半閉じ位置では、撮像部材ＣＣＤの１度目の読み取りのみを行い、原稿のセンサ４１の検出は行わない。そして、原稿のセンサ４１や撮像部材ＣＣＤの２度目の検出、読取については、カバー５１が読取ガラス３を閉鎖する閉鎖位置で行い、１度目と２度目の検出結果の変化や読取結果の差分に基づいて、原稿Ｇｉのサイズを検出している。
【０１２３】
よって、実施例１の原稿のセンサ４１は、従来の半閉じ位置に対応する第２の半閉じ位置では１度目の検出を行っていない。その代わりに、前記原稿のセンサ４１は、第２の半閉じ位置に替えて、第２の半閉じ位置よりも開放位置側に設定され且つ押さえ板５４と読取ガラス３上の原稿Ｇｉを検出した場合の出力値の差が大きくなる第１の半閉じ位置で１度目の検出を行っている。したがって、実施例１では、原稿のセンサ４１が、半閉じ位置の押さえ板５４と、読取ガラス３上の原稿Ｇｉとを誤検出し難くなっている。よって、従来と同様の原稿のセンサ４１でも、原稿の有無が精度良く検出される。
【０１２４】
また、実施例１の撮像部材ＣＣＤは、第１の半閉じ位置では読取を行っておらず、第２の半閉じ位置と、閉鎖位置とで画像が読み取られる。したがって、実施例１の撮像部材ＣＣＤについては、いわば、従来と同様のカバー５１の位置で画像が読み取られており、外光の影響を受けずに原稿の前端の位置が精度良く検出される。
よって、実施例１では、撮像部材ＣＣＤが移動する構成において、撮像部材ＣＣＤが固定された従来と共通の原稿のセンサ４１を流用しても、検出精度を悪化させずに原稿のサイズが検出される。したがって、実施例１では、撮像部材ＣＣＤが移動する構成において、従来と共通の原稿のセンサ４１を使用しない場合に比べて、費用の上昇が抑えられている。
【０１２５】
さらに、実施例１の開閉用のセンサユニット９１では、カバー５１が、第１の半閉じ位置と、第２の半閉じ位置と、閉鎖位置とに移動したことを検出する場合に、第１のセンサ８１と第２のセンサ８６との２個のセンサの検出結果に基づいて、カバー５１の位置を検出している。ここで、従来の構成では、検出するカバー５１の位置毎にセンサを配置していた。例えば、特許文献１に記載の構成では、撮像部材ＣＣＤの差分を２パターン以上算出するためにカバー５１の位置を３カ所以上検出しており、カバー５１の位置に対応させて３つ以上のセンサを配置していた。
【０１２６】
これに対して、実施例１では、カバー５１の移動に応じて移動する移動部材７１には、上端７６ａ，７７ａと下端７６ｂ，７７ｂとを有する遮光部７６，７７が形成されている。そして、カバー５１が移動する場合には、各遮光部７６，７７が、各検出位置Ｐ２１，Ｐ２２を異なる時期に通過する。よって、カバー５１が開放位置と閉鎖位置との間を移動する場合に、センサ８１，８６は、遮光部７６，７７の有無を異なる時期に検出して、カバー５１の位置が検出される。したがって、実施例１では、２個のセンサ８１，８６でも、カバー５１が、開放位置と、第１の半閉じ位置と、第２の半閉じ位置と、閉鎖位置との４つの位置に移動したことが検出されている。よって、実施例１では、検出するカバー５１の位置毎にセンサを配置する場合に比べて、センサの数が少なくて済み、開閉用のセンサユニット９１の構成が簡素になって費用を抑え易くなっている。
【０１２７】
特に、実施例１では、カバー５１が移動する場合に、移動部材７１の遮光部７６，７７が検出位置Ｐ２１，Ｐ２２を異なる時期に通過しており、一方のセンサ８１，８６の検出結果が切り替わる場合に、他方のセンサ８６，８１の検出結果は切り替わらない。ここで、第１のセンサ８１と第２のセンサ８６の検出結果の組み合わせを「‐」を用いて表すと、図１０に示すように、ＯＦＦ‐ＯＦＦ、ＯＮ‐ＯＦＦ、ＯＮ‐ＯＮ、ＯＦＦ‐ＯＮ、ＯＦＦ‐ＯＦＦ、の順に、検出結果が切り替わっている。よって、実施例１では、開放位置、第１の半閉じ位置、第２の半閉じ位置、閉鎖位置の４つの位置を検出しているが、２つのセンサで最大５つの位置を検出可能である。また、実施例１では、前述のように、センサ８１，８６の検出結果が切り替わった場合に、切り替わる前の検出結果の組み合わせと、切り替わった後の検出結果の組み合わせと、の組み合わせが全てが異なっている。
【０１２８】
よって、実施例１では、センサ８１，８６の検出結果が切り替わる前後の検出結果の組み合わせに基づいて、カバー５１が開放位置から閉鎖位置に向かう方向に移動したか、カバー５１が閉鎖位置から開放位置に向かう方向に移動したかを、特定可能である。したがって、実施例１では、２個のセンサ８１，８６のいずれか一方が切り替わることで、カバー５１が移動する方向も検出可能である。よって、実施例１では、２つのセンサ８１，８６のうちの一方の検出結果が切り替わった時に、カバー５１の位置が最大５つの位置のどの位置かを検出可能であり、且つ、カバー５１の移動方向が検出可能である。そして、実施例１では、検出されたカバー５１が移動する方向に対応した処理が実行されている。すなわち、カバー５１が閉鎖位置から開放位置に向かう方向に移動している場合には、撮像部材ＣＣＤの読取や原稿のセンサ４１の検出が行われず、無駄な処理が低減されている。
【０１２９】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ015）を下記に例示する。
（Ｈ01）前記実施例において、画像形成装置の一例としての複写機Ｕを例示したが、これに限定されず、ＦＡＸ、あるいは、ＦＡＸや、プリンタ、複写機などの複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能である。また、前記実施例において、画像の読取装置の一例としてスキャナ部Ｕ２を例示し、複写機Ｕに備えられた構成を例示したが、これに限定されず、本願発明は、オートフィーダＵ３が省略された構成や、スキャナ単体の構成にも適用可能である。
【０１３０】
（Ｈ02）前記実施例において、センサ８１，８６の検出結果がＯＦＦ‐ＯＦＦからＯＮ‐ＯＦＦに切り替わった場合に、カバー５１が開放位置から第１の半閉じ位置に移動したことが検出され、且つ、センサ８１，８６の検出結果がＯＮ‐ＯＦＦからＯＮ‐ＯＮに切り替わった場合に、カバー５１が第１の半閉じ位置から第２の半閉じ位置に移動したことが検出され、且つ、センサ８１，８６の検出結果がＯＦＦ‐ＯＮからＯＦＦ‐ＯＦＦに切り替わった場合に、カバー５１が閉鎖位置に移動したことが検出される構成を例示した。しかしながら、カバー５１が第１の半閉じ位置や、第２の半閉じ位置、閉鎖位置に移動したことを検出するセンサ８１，８６の検出結果の切り替わり方は、これに限定されない。
【０１３１】
すなわち、センサ８１，８６がＯＦＦ‐ＯＦＦ、ＯＮ‐ＯＦＦ、ＯＮ‐ＯＮ、ＯＦＦ‐ＯＮ、ＯＦＦ‐ＯＦＦの順に切り替わる場合において、検出結果が切り替わる４つのうちの任意の３つの場合に対応させて、カバー５１が第１の半閉じ位置と、第２の半閉じ位置と、閉鎖位置と、に移動したことを検出することが可能である。よって、これに応じて、移動部材７１の形状や、検出位置Ｐ２１，Ｐ２２の位置が変更可能であり、カバーの移動の検出手段Ｃ４の処理も変更可能である。
したがって、例えば、移動部材７１の形状に関しては、実施例１では、カバー５１が第１の半閉じ位置から第２の半閉じ位置に移動する場合に、第２の遮光部７７の下端７７ａが第２の検出位置Ｐ２２に進入する移動部材７１の形状を例示したが、これに替えて、カバー５１が第１の半閉じ位置から第２の半閉じ位置に移動する場合には、第１の遮光部７６の上端７６ｂが第１の検出位置Ｐ２１を下方に通過する移動部材７１の形状にすることも可能である。
【０１３２】
（Ｈ03）前記実施例において、移動部材７１の遮光部７６，７７が上下方向に配置された構成を例示したがこれに限定されず、左右方向、直角方向など、任意の位置関係で配置可能である。よって、これに応じて、検出位置Ｐ２１，Ｐ２２も設定可能である。
（Ｈ04）前記実施例において、第１の半閉じ位置と、第２の半閉じ位置と、が検出可能な構成を例示したが、センサの検出結果の切り替わり時期に対応させて、第３の半閉じ位置を検出する構成も可能である。
（Ｈ05）前記実施例において、センサ８１，８６の検出結果がＯＦＦ‐ＯＦＦ、ＯＮ‐ＯＦＦ、ＯＮ‐ＯＮ、ＯＦＦ‐ＯＮ、ＯＦＦ‐ＯＦＦの順に切り替わる構成を例示し、ＯＦＦ‐ＯＦＦの場合には、カバー５１が開放位置または閉鎖位置の可能性がある構成を例示したが、これに限定されない。例えば、カバー５１が開放位置にある場合には、センサの検出結果がＯＮ‐ＯＦＦとなる場合を対応させたり、カバー５１が閉鎖位置にある場合には、センサの検出結果がＯＦＦ‐ＯＮとなる場合を対応させて、位置毎に、センサの検出結果を異ならせることが可能である。なお、これらの場合には、最初、または、最後のＯＦＦ‐ＯＦＦを検出する構成を省略可能である。
【０１３３】
（Ｈ06）前記実施例において、移動部材７１には、第１の遮光部７６と、第２の遮光部７７とが形成されて、それらの間に光の通過部７８が形成されている構成が、カバー５１が移動する場合に、移動部材７１の移動距離が短くてもセンサ８１，８６の検出結果を切り替えさせ易い点で望ましいが、これに限定されない。例えば、光の通過部７８がない形状、すなわち、遮光部が一つのみの構成も可能である。すなわち、移動部材７１が下方に移動する場合に、遮光部の下端が第１の検出位置Ｐ２１を通過する。そして、前記遮光部の下端が、第２の検出位置Ｐ２２を通過する。そして、今度は、前記遮光部の上端が第１の検出位置Ｐ２１を下方に通過する。そして、前記遮光部の上端が第２の検出位置を下方に通過する。よって、この場合にも、第１のセンサ８１と、第２のセンサ８６の検出結果は、ＯＦＦ‐ＯＦＦ、ＯＮ‐ＯＦＦ、ＯＮ‐ＯＮ、ＯＦＦ‐ＯＮ、ＯＦＦ‐ＯＦＦと切り替わっており、実施例１と同様の作用効果を奏させることが可能である。
【０１３４】
（Ｈ07）前記実施例において、移動部材７１には、第１の遮光部７６と、第２の遮光部７７が形成され、光の通過部７８が形成された構成を例示したがこれに限定されない。例えば、第１の遮光部７６と、第２の遮光部７７と、光の通過部７８などの位置を反転させた構成も可能である。すなわち、この場合には、ＯＮ‐ＯＮ、ＯＦＦ‐ＯＮ、ＯＦＦ‐ＯＦＦ、ＯＮ‐ＯＦＦ、ＯＮ‐ＯＮ、の順に、検出結果が切り替わり、センサ８１，８６のＯＮとＯＦＦが入れ替わっている点以外は、実施例１と同様の作用効果を奏させることが可能である。
（Ｈ08）前記実施例において、カバー５１が開放位置から第１の半閉じ位置に移動した場合に蛍光ランプ２１が点灯して、それから、カバー５１が閉鎖位置に移動した場合または開放位置に移動した場合に蛍光ランプ２１を消灯する構成を例示したがこれに限定されない。例えば、撮像部材ＣＣＤが読み取る時期にのみ蛍光ランプ２１を点灯させる構成も可能である。すなわち、カバー５１が開放位置から閉鎖位置に向かう方向に移動する場合において、第２の半閉じ位置に移動した場合および閉鎖位置に移動した場合に、蛍光ランプ２１を点灯させ且つ消灯させる構成も可能である。
【０１３５】
（Ｈ09）前記実施例において、移動部材７１を有する開閉用のユニットセンサ９１がスキャナ部Ｕ２に支持された構成を例示したが、これに限定されず、スキャナ部Ｕ２に替えて、開閉されるカバー５１に支持されて、スキャナ部Ｕ２に移動部材７１の先端部７３が接触する構成も可能である。
（Ｈ010）前記実施例において、カバー５１の閉鎖位置は、カバー５１がプラテンガラスＰＧを閉鎖する位置であれば良く、押さえ板５４がプラテンガラスＰＧに接触している場合は勿論、厚みのある原稿Ｇｉを押さえ板５４が押さえて、プラテンガラスＰＧから離間して閉鎖する位置でも可能である。
なお、プラテンガラスＰＧから離間している位置を閉鎖位置に設定する場合には、開閉の検出部材の一例としてのマグネットセンサを使用して、完全にカバー５１が閉鎖されているか否かを検出することが可能である。
【０１３６】
（Ｈ011）前記実施例において、カバー５１が閉鎖位置に移動した場合に、撮像部材ＣＣＤの読取と原稿のセンサ４１の検出の両方を一度に行う構成を例示したが、これに限定されない。例えば、撮像部材ＣＣＤの読取の時期と、原稿のセンサ４１の検出の時期をずらした構成も可能である。したがって、本願発明は、閉鎖位置に基づいて、撮像部材ＣＣＤの読取と原稿のセンサ４１の検出を行う構成とすることが可能である。具体的には、カバー５１が閉鎖位置に移動したことが検出された場合には、原稿のセンサ４１の検出を行い、カバー５１が閉鎖位置に移動したことが検出されてから予め設定された時間が経過した場合に、撮像部材ＣＣＤの読取を行う構成とすることが可能である。また、センサ８１，８６の位置や遮光部７６，７７の形状や位置を調節して、実施例１の閉鎖位置と、実施例１の閉鎖位置に比べて第２の半閉じ位置側に設定された第２の閉鎖位置と、を検出可能とし、且つ、カバー５１が第２の閉鎖位置に移動した場合には、原稿のセンサ４１の検出を行い、カバー５１が実施例１の閉鎖位置に移動した場合には、撮像部材ＣＣＤの読取を行う構成とすることも可能である。
【０１３７】
（Ｈ012）前記実施例において、読取用の光学系Ａは、第１〜第５のミラー２２〜２７を有する構成を例示したが、これに限定されず、読取位置Ｐ１１の画像をレンズ２８を介して撮像部材ＣＣＤに縮小可能であれば、読取用の光学系Ａにおけるミラーの配置や数は任意である。
（Ｈ013）前記実施例において、読取ユニットＵ２ａは、読取り用の光学系Ａを有し、いわゆる、縮小光学系を有する構成を例示していたが、読取ユニットＵ２ａが肥大化する構成であれば、縮小光学系を有さない構成にも、本願発明を適用可能である。
【０１３８】
（Ｈ014）前記実施例において、「手動の原稿読取」を行う場合に、開閉時の原稿のサイズの検出結果に基づいて、読取ユニットＵ２ａを移動させる構成を例示したが、「手動の原稿読取」の際には、読取ユニットＵ２ａを最大サイズ分移動させる構成も可能である。すなわち、開閉時の原稿のサイズの検出結果は、読取ユニットＵ２ａの移動には使用せず、シートＳの給紙などの他の処理にのみ利用する構成も可能である。
（Ｈ015）前記実施例において、読取部材の一例として、撮像部材ＣＣＤを例示したが、これに限定されず、ＣＭＯＳ：Complementary Metal Oxide Semiconductor等の構成も可能である。
【符号の説明】
【０１３９】
３，ＰＧ…支持面、
４１…第２の方向の検出部材、
４３…受光部、
５１…開閉部材、
５４…対向部材、
７１…被検出部材、
８１…第１の検出部材、
８６…第２の検出部材、
Ｃ４…開閉部材の位置の検出手段、
Ｃ９…媒体の大きさを検出する手段、
ＣＣＤ…読取部材、
Ｇｉ…媒体、
Ｐ１２…第２の方向の予め設定された位置、
Ｐ２１…第１の検出位置、
Ｐ２２…第２の検出位置、
Ｕ２…画像の読取装置、
Ｕ２ａ…読取ユニット、
Ｕｙ〜Ｕｋ＋Ｔ１＋Ｔ２＋Ｂ…画像の記録部。
【図１】
2014204410.tif 000003
【図２】
2014204410.tif 000004
【図３】
2014204410.tif 000005
【図４】
2014204410.tif 000006
【図５】
2014204410.tif 000007
【図６】
2014204410.tif 000008
【図７】
2014204410.tif 000009
【図８】
2014204410.tif 000010
【図９】
2014204410.tif 000011
【図１０】
2014204410.tif 000012
【図１１】
2014204410.tif 000013
【図１２】
2014204410.tif 000014
【図１３】
2014204410.tif 000015
【図１４】
2014204410.tif 000016
【図１５】
2014204410.tif 000017
【図１６】
2014204410.tif 000018